(57)【要約】      （修正有）【課題】ＵＥ（ユーザ機器）が、正しいＭＭＥ（モビリティ管理エンティティ）を適時に使用して、アクセス要求手続を実行するＭＭＥ再選択方法及びＭＭＥを提供する。【解決手段】第１のＭＭＥが、ＵＥから送信されたアクセス要求メッセージを受信する。加入者サーバが、ＵＥがアクセスしてもよいＭＭＥのタイプに関する情報を含むＵＥの加入データを第１のＭＭＥに送信する。第１のＭＭＥが、受信したＭＭＥのタイプに関する情報に従って、第２のモビリティ管理エンティティを再選択し、アクセス要求メッセージを第２のＭＭＥに転送する。【選択図】図８
2018198448.tif 000002
【特許請求の範囲】
【請求項１】
モビリティ管理エンティティを再選択する方法であって、
第１のモビリティ管理エンティティが、ユーザ機器（ＵＥ）から送信されたアクセス要求メッセージを受信することと、
加入者サーバが、前記ＵＥの加入データを送信することであって、前記加入データは前記ＵＥがアクセスしてもよいモビリティ管理エンティティのタイプに関する情報を含む、ことと、
前記モビリティ管理エンティティのタイプに関する情報にしたがって、前記第１のモビリティ管理エンティティが、前記ＵＥがアクセスしてもよいモビリティ管理エンティティのタイプを決定することと、
前記第１のモビリティ管理エンティティが、前記ＵＥがアクセスしてもよいモビリティ管理エンティティのタイプにしたがって第２のモビリティ管理エンティティを再選択することと、
前記第１のモビリティ管理エンティティが、前記アクセス要求メッセージを前記第２のモビリティ管理エンティティに転送することであって、前記アクセス要求メッセージは、前記第２のモビリティ管理エンティティに前記ＵＥのアクセス要求手続を実行することを要求するものである、ことと
を含む、方法。
【請求項２】
前記アクセス要求メッセージは前記ＵＥの識別情報を担い、前記方法は、
前記加入者サーバが、前記ＵＥの識別情報にしたがって、前記ＵＥがアクセスしてもよい前記モビリティ管理エンティティのタイプに関する情報を決定することをさらに含む、
請求項１に記載の方法。
【請求項３】
モビリティ管理エンティティを再選択する方法であって、
ユーザ機器（ＵＥ）が、第１のモビリティ管理エンティティにアクセス要求メッセージを送信することと、
前記第１のモビリティ管理エンティティが、前記ＵＥの加入データを取得することであって、前記加入データは前記ＵＥがアクセスしてもよいモビリティ管理エンティティのタイプに関する情報を含む、ことと、
前記モビリティ管理エンティティのタイプに関する情報にしたがって、前記第１のモビリティ管理エンティティが、前記ＵＥがアクセスしてもよいモビリティ管理エンティティのタイプを決定することと、
前記第１のモビリティ管理エンティティが、前記ＵＥがアクセスしてもよいモビリティ管理エンティティのタイプにしたがって第２のモビリティ管理エンティティを再選択することと、
前記第１のモビリティ管理エンティティが、前記アクセス要求メッセージを前記第２のモビリティ管理エンティティに転送することであって、前記アクセス要求メッセージは、前記第２のモビリティ管理エンティティに前記ＵＥのアクセス要求手続を実行することを要求するものである、ことと
を含む、方法。
【請求項４】
前記アクセス要求メッセージは前記ＵＥの識別情報を担い、
加入者サーバから前記ＵＥの加入データを取得することは、
前記第１のモビリティ管理エンティティが、前記ＵＥの識別情報にしたがって、加入者サーバから前記ＵＥの加入データを取得することを含む、
請求項３に記載の方法。
【請求項５】
モビリティ管理エンティティを再選択する方法であって、
第１のモビリティ管理エンティティが、ユーザ機器（ＵＥ）から送信されたアクセス要求メッセージを受信することと、
前記第１のモビリティ管理エンティティが、前記ＵＥの加入データを取得することであって、前記加入データは前記ＵＥがアクセスしてもよいモビリティ管理エンティティのタイプに関する情報を含む、ことと、
前記モビリティ管理エンティティのタイプに関する情報にしたがって、前記第１のモビリティ管理エンティティが、前記ＵＥがアクセスしてもよいモビリティ管理エンティティのタイプを決定することと、
前記第１のモビリティ管理エンティティが、前記ＵＥがアクセスしてもよいモビリティ管理エンティティのタイプにしたがって第２のモビリティ管理エンティティを再選択することと、
前記第１のモビリティ管理エンティティが、前記アクセス要求メッセージを前記第２のモビリティ管理エンティティに転送することであって、前記アクセス要求メッセージは、前記第２のモビリティ管理エンティティに前記ＵＥのアクセス要求手続を実行することを要求するものである、ことと
を含む、方法。
【請求項６】
モビリティ管理エンティティを再選択するシステムであって、第１のモビリティ管理エンティティと加入者サーバとを有し、
前記加入者サーバは、前記第１のモビリティ管理エンティティに、ユーザ機器（ＵＥ）の加入データを送信するように構成され、前記加入データは、前記ＵＥがアクセスしてもよいモビリティ管理エンティティのタイプに関する情報を含み、
前記第１のモビリティ管理エンティティは、
前記ＵＥから送信されたアクセス要求メッセージを受信し、
前記モビリティ管理エンティティのタイプに関する情報にしたがって、前記ＵＥがアクセスしてもよいモビリティ管理エンティティのタイプを決定し、
前記ＵＥがアクセスしてもよいモビリティ管理エンティティのタイプにしたがって第２のモビリティ管理エンティティを再選択し、
前記アクセス要求メッセージを前記第２のモビリティ管理エンティティに転送し、前記アクセス要求メッセージは、前記第２のモビリティ管理エンティティに前記ＵＥのアクセス要求手続を実行することを要求するものである、ように構成されたシステム。
【請求項７】
前記アクセス要求メッセージは前記ＵＥの識別情報を担い、
前記加入者サーバはさらに、前記ＵＥの識別情報にしたがって、前記ＵＥがアクセスしてもよい前記モビリティ管理エンティティのタイプに関する情報を決定するように構成される、
請求項６に記載のシステム。
【請求項８】
モビリティ管理エンティティを再選択するシステムであって、第１のモビリティ管理エンティティとユーザ機器（ＵＥ）とを有し、
前記ＵＥは前記第１のモビリティ管理エンティティにアクセス要求メッセージを送信するように構成され、
前記第１のモビリティ管理エンティティは、加入者サーバから前記ＵＥの加入データを取得し、前記加入データは、前記ＵＥがアクセスしてもよいモビリティ管理エンティティのタイプに関する情報を含み、前記モビリティ管理エンティティのタイプに関する情報にしたがって、前記ＵＥがアクセスしてもよいモビリティ管理エンティティのタイプを決定し、前記ＵＥがアクセスしてもよいモビリティ管理エンティティのタイプにしたがって第２のモビリティ管理エンティティを再選択し、前記アクセス要求メッセージを前記第２のモビリティ管理エンティティに転送し、前記アクセス要求メッセージは、前記第２のモビリティ管理エンティティに前記ＵＥのアクセス要求手続を実行することを要求するものである、ように構成される、
システム。
【請求項９】
前記アクセス要求メッセージは前記ＵＥの識別情報を担い、
前記第１のモビリティ管理エンティティは、前記ＵＥの識別情報にしたがって、加入者サーバから前記ＵＥの加入データを取得するように構成される、
請求項８に記載のシステム。
【請求項１０】
モビリティ管理エンティティであって、
ユーザ機器（ＵＥ）から送信されたアクセス要求メッセージを受信するように構成された受信ユニットと、
決定ユニットであって、加入者サーバから前記ＵＥの加入データを取得し、前記加入データは前記ＵＥがアクセスしてもよいモビリティ管理エンティティのタイプに関する情報を含み、前記モビリティ管理エンティティのタイプに関する情報にしたがって、前記ＵＥがアクセスしてもよいモビリティ管理エンティティのタイプを決定するように構成された決定ユニットと、
前記ＵＥがアクセスしてもよいモビリティ管理エンティティのタイプにしたがって他のモビリティ管理エンティティを再選択するように構成された再選択ユニットと、
前記アクセス要求メッセージを前記他のモビリティ管理エンティティに転送するように構成され、前記アクセス要求メッセージは、前記他のモビリティ管理エンティティに前記ＵＥのアクセス要求手続を実行することを要求するものである、送信ユニットと、
を有するモビリティ管理エンティティ。
【請求項１１】
前記アクセス要求メッセージは前記ＵＥの識別情報を担い、
前記決定ユニットは、前記ＵＥの識別情報にしたがって、加入者サーバから前記ＵＥの加入データを取得するように構成される、
請求項１０に記載のモビリティ管理エンティティ。
【請求項１２】
プロセッサと、前記プロセッサが実行するプログラムを記憶するメモリとを有し、前記プログラムは請求項５のステップを実行する命令を含む、
モビリティ管理エンティティ。
【請求項１３】
プロセッサにより実行されるプログラムを記憶し、前記プログラムは請求項５のステップを実行する命令を含む、コンピュータ可読記憶媒体。
【発明の詳細な説明】
【技術分野】
【０００１】
本発明は、通信技術の分野に、並びに特に、ＭＭＥ再選択方法及びＭＭＥに関係する。
【背景技術】
【０００２】
加入したサービスをネットワークを介して正規に使用するために、オペレータとのネットワークアクセスプロトコルにサインした、認可されたユーザ機器（User  Equipment、略してＵＥ）に関しては、ＵＥがパワーオンされるたびに、ＵＥは、オペレータのネットワーク上で、ネットワークに登録及びアタッチする手続を完了することを必要とするか、又はＵＥが完全にネットワークのカバレッジを離れてから、あらかじめセットされた時間の後に、ＵＥは再び、オペレータのネットワーク上で、ネットワークに登録及びアタッチする手続を完了することを必要とするか、又はオペレータのネットワークのエリアから別のエリアに進入するときに、ＵＥは、ルーティングエリア更新手続を遂行することを必要とする。
【０００３】
現在、オンネットＵＥは、異なるサービスに加入し、異なる課金標準を有するので、オペレータは、モビリティ管理エンティティ（Mobility  Management  Entity、略してＭＭＥ）を分類することを目論むとともに、異なるＭＭＥは、異なるサービスに加入しているＵＥのアクセス要求を処理する。このようにして、異なるサービスに加入するユーザは、論理的に別々に管理され、それは、通信オペレータの管理効率を改善することができる。例えば、Ｍ２Ｍサービスに加入するすべてのユーザ機器に対しては、専用ＭＭＥのグループが管理のために使用され、Ｍ２Ｍサービスに加入しないすべてのユーザ機器に対しては、ＭＭＥの別のグループが管理のために使用される。
【０００４】
しかしながらロングタームエボリューション（Long  Term  Evolution、略してＬＴＥ）ネットワークでは、ＵＥがアタッチ手続又はルーティングエリア更新手続を実行するときに、進化型ノードｅＮｏｄｅＢは、ネットワークトポロジーのみに依存することによりＵＥのためのＭＭＥを選択する。このようにして、ｅＮｏｄｅＢが、ＵＥに対して誤ったＭＭＥを選択するということが起こり得る。したがって、ＭＭＥが、複数個の部類に分類され、異なるタイプのサービスに加入するＵＥにサービスを提供する事例では、どのようにＭＭＥを選択するかは、解決されることを緊急に必要とする問題である。
【発明の概要】
【０００５】
本発明の実施形態は、ＭＭＥ再選択方法及びＭＭＥを提供し、それによってＵＥは、正しいＭＭＥを適時に使用して、アクセス要求手続を実行することができる。
【０００６】
上述の目標を達成するために、下記の技術的解決策が、本発明の実施形態で使用される。
【０００７】
第１の態様によると、第１のモビリティ管理エンティティＭＭＥが提供され、第１のＭＭＥは、
ユーザ機器ＵＥにより送出されるアクセス要求メッセージを受信するように構成される受信ユニットであって、アクセス要求メッセージはＵＥの識別子情報を搬送する、受信ユニットと、
ＵＥの識別子情報に従って、ＵＥがアクセスすることを必要とするＭＭＥのタイプを判定するように構成される判定ユニットと、
ＵＥがアクセスすることを必要とするＭＭＥのタイプに従って第２のＭＭＥを再選択するように構成される再選択ユニットと、
アクセス要求メッセージを第２のＭＭＥに転送し、それによって第２のＭＭＥがＵＥのアクセス要求手続を実行するように構成される送出ユニットとを含む。
【０００８】
第１の態様を参照すると、第１の可能な実現方式では、
受信ユニットは、アクセス要求手続の実行中にＵＥと第２のＭＭＥとの間で生成される対話メッセージを受信するように更に構成され、
送出ユニットは、アクセス要求手続の実行中にＵＥと第２のＭＭＥとの間で生成される対話メッセージを転送するように更に構成される。
【０００９】
第１の態様、又は第１の態様の第１の可能な実現方式を参照すると、第２の可能な実現方式では、判定ユニットは具体的には、
ＵＥの識別子情報、及び事前構成指示情報に従って、ＵＥがアクセスすることを必要とするＭＭＥのタイプを判定するように構成され、事前構成指示情報は、ＵＥの識別子情報とＵＥがアクセスすることを必要とするＭＭＥのタイプとの間の対応関係に関する情報を含む。
【００１０】
第１の態様、又は第１の態様の第１の可能な実現方式を参照すると、第３の可能な実現方式では、判定ユニットは具体的には、
ホーム加入者サーバＨＳＳからＵＥの加入データをＵＥの識別子情報に従って取得し、加入データはＵＥがアクセスすることを必要とするＭＭＥのタイプに関する情報を含むとともに、
加入データに従って、ＵＥがアクセスすることを必要とするＭＭＥのタイプを判定するように構成される。
【００１１】
第１の態様、又は第１の態様の第１の可能な実現方式を参照すると、第４の可能な実現方式では、判定ユニットは具体的には、
ＵＥの識別子情報に従ってＵＥのモビリティ管理コンテキスト情報をＵＥによりアクセスされる元のＭＭＥから取得し、モビリティ管理コンテキスト情報はＵＥがアクセスすることを必要とするＭＭＥのタイプに関する情報を含むとともに、
モビリティ管理コンテキスト情報に従って、ＵＥがアクセスすることを必要とするＭＭＥのタイプを判定するように構成される。
【００１２】
第１の態様の第４の可能な実現方式によると、第５の可能な実現方式では、送出ユニットは具体的には、ＵＥのアクセス要求メッセージ及びモビリティ管理コンテキスト情報を第２のＭＭＥに転送し、それによって第２のＭＭＥがＵＥのアクセス要求手続をＵＥのアクセス要求メッセージ及びモビリティ管理コンテキスト情報に従って実行するように構成される。
【００１３】
第２の態様によると、第２のモビリティ管理エンティティＭＭＥが提供され、第２のＭＭＥは、
ユーザ機器ＵＥにより送出されるとともに第１のＭＭＥにより転送されるアクセス要求メッセージを受信するように構成される受信ユニットであって、アクセス要求メッセージはＵＥの識別子を含む、受信ユニットと、
ＵＥのアクセス要求手続をアクセス要求メッセージに従って実行するように構成される処理ユニットとを含む。
【００１４】
第２の態様を参照すると、第１の可能な実現方式では、第２のＭＭＥは、
処理ユニットがＵＥのアクセス要求手続をアクセス要求メッセージに従って実行するときに、第１のＭＭＥを使用することにより対話メッセージをＵＥに送出するように構成される送出ユニットを更に含み、
受信ユニットは具体的には、処理ユニットがＵＥのアクセス要求手続をアクセス要求メッセージに従って実行するときに、第１のＭＭＥを使用することにより、ＵＥにより送出される対話メッセージを受信するように構成される。
【００１５】
第２の態様、又は第２の態様の第１の可能な実現方式を参照すると、第２の可能な実現方式では、
受信ユニットは、第１のＭＭＥにより転送されるＵＥのモビリティ管理コンテキスト情報を受信するように更に構成され、
処理ユニットは具体的には、ＵＥのアクセス要求手続をＵＥのアクセス要求メッセージ及びモビリティ管理コンテキスト情報に従って実行するように構成される。
【００１６】
第２の態様、又は第２の態様の第１の可能な実現方式を参照すると、第３の可能な実現方式では、
送出ユニットは、モビリティ管理コンテキスト要求メッセージを、アクセス要求メッセージで搬送されるＵＥの識別子に従ってＵＥの元のＭＭＥに送出するように更に構成され、
受信ユニットは、ＵＥの元のＭＭＥにより送出されるモビリティ管理コンテキスト応答メッセージを受信するように更に構成され、モビリティ管理コンテキスト応答メッセージはＵＥのモビリティ管理コンテキスト情報を搬送し、
処理ユニットは具体的には、ＵＥのアクセス要求手続をＵＥのアクセス要求メッセージ及びモビリティ管理コンテキスト情報に従って実行するように構成される。
【００１７】
第３の態様によると、第１のモビリティ管理エンティティＭＭＥが提供され、第１のＭＭＥは、
ユーザ機器ＵＥにより送出されるアクセス要求メッセージを受信するように構成される受信器であって、アクセス要求メッセージはＵＥの識別子情報を搬送する、受信器と、
ＵＥの識別子情報に従って、ＵＥがアクセスすることを必要とするＭＭＥのタイプを判定し、ＵＥがアクセスすることを必要とするＭＭＥのタイプに従って第２のＭＭＥを再選択するように構成されるプロセッサと、
アクセス要求メッセージを第２のＭＭＥに転送し、それによって第２のＭＭＥがＵＥのアクセス要求手続を実行するように構成される送信器とを含む。
【００１８】
第３の態様を参照すると、第１の可能な実現方式では、
受信器は、アクセス要求手続の実行中にＵＥと第２のＭＭＥとの間で生成される対話メッセージを受信するように更に構成され、
送信器は、アクセス要求手続の実行中にＵＥと第２のＭＭＥとの間で生成される対話メッセージを転送するように更に構成される。
【００１９】
第３の態様、又は第３の態様の第１の可能な実現方式を参照すると、第２の可能な実現方式では、プロセッサは具体的には、
ＵＥの識別子情報、及び事前構成指示情報に従って、ＵＥがアクセスすることを必要とするＭＭＥのタイプを判定するように構成され、事前構成指示情報は、ＵＥの識別子情報とＵＥがアクセスすることを必要とするＭＭＥのタイプとの間の対応関係に関する情報を含む。
【００２０】
第３の態様、又は第３の態様の第１の可能な実現方式を参照すると、第３の可能な実現方式では、プロセッサは具体的には、
ホーム加入者サーバＨＳＳからＵＥの加入データをＵＥの識別子情報に従って取得し、加入データはＵＥがアクセスすることを必要とするＭＭＥのタイプに関する情報を含むとともに、
加入データに従って、ＵＥがアクセスすることを必要とするＭＭＥのタイプを判定するように構成される。
【００２１】
第３の態様、又は第３の態様の第１の可能な実現方式を参照すると、第４の可能な実現方式では、プロセッサは具体的には、
ＵＥの識別子情報に従ってＵＥのモビリティ管理コンテキスト情報をＵＥによりアクセスされる元のＭＭＥから取得し、モビリティ管理コンテキスト情報はＵＥがアクセスすることを必要とするＭＭＥのタイプに関する情報を含むとともに、
モビリティ管理コンテキスト情報に従って、ＵＥがアクセスすることを必要とするＭＭＥのタイプを判定するように構成される。
【００２２】
第３の態様の第４の可能な実現方式によると、第５の可能な実現方式では、送信器は具体的には、ＵＥのアクセス要求メッセージ及びモビリティ管理コンテキスト情報を第２のＭＭＥに転送し、それによって第２のＭＭＥがＵＥのアクセス要求手続をＵＥのアクセス要求メッセージ及びモビリティ管理コンテキスト情報に従って実行するように構成される。
【００２３】
第４の態様によると、第２のモビリティ管理エンティティＭＭＥが提供され、第２のＭＭＥは、
ユーザ機器ＵＥにより送出されるとともに第１のＭＭＥにより転送されるアクセス要求メッセージを受信するように構成される受信器であって、アクセス要求メッセージはＵＥの識別子を含む、受信器と、
ＵＥのアクセス要求手続をアクセス要求メッセージに従って実行するように構成されるプロセッサとを含む。
【００２４】
第４の態様を参照すると、第１の可能な実現方式では、第２のＭＭＥは、
プロセッサがＵＥのアクセス要求手続をアクセス要求メッセージに従って実行するときに、第１のＭＭＥを使用することにより対話メッセージをＵＥに送出するように構成される送信器を更に含み、
受信器は具体的には、プロセッサがＵＥのアクセス要求手続をアクセス要求メッセージに従って実行するときに、第１のＭＭＥを使用することにより、ＵＥにより送出される対話メッセージを受信するように構成される。
【００２５】
第４の態様、又は第４の態様の第１の可能な実現方式を参照すると、第２の可能な実現方式では、
受信器は、第１のＭＭＥにより転送されるＵＥのモビリティ管理コンテキスト情報を受信するように更に構成され、
プロセッサは具体的には、ＵＥのアクセス要求手続をＵＥのアクセス要求メッセージ及びモビリティ管理コンテキスト情報に従って実行するように構成される。
【００２６】
第４の態様、又は第４の態様の第１の可能な実現方式を参照すると、第３の可能な実現方式では、
送信器は、モビリティ管理コンテキスト要求メッセージを、アクセス要求メッセージで搬送されるＵＥの識別子に従ってＵＥの元のＭＭＥに送出するように更に構成され、
受信器は、ＵＥの元のＭＭＥにより送出されるモビリティ管理コンテキスト応答メッセージを受信するように更に構成され、モビリティ管理コンテキスト応答メッセージはＵＥのモビリティ管理コンテキスト情報を搬送し、
プロセッサは具体的には、ＵＥのアクセス要求手続をＵＥのアクセス要求メッセージ及びモビリティ管理コンテキスト情報に従って実行するように構成される。
【００２７】
第５の態様によると、モビリティ管理エンティティＭＭＥ再選択方法が提供され、方法は、
ユーザ機器ＵＥにより送出されるアクセス要求メッセージを受信するステップであって、アクセス要求メッセージはＵＥの識別子情報を搬送する、受信するステップと、
ＵＥの識別子情報に従って、ＵＥがアクセスすることを必要とするＭＭＥのタイプを判定するステップと、
ＵＥがアクセスすることを必要とするＭＭＥのタイプに従って第２のＭＭＥを再選択するステップと、
アクセス要求メッセージを第２のＭＭＥに転送し、それによって第２のＭＭＥがＵＥのアクセス要求手続を実行するステップとを含む。
【００２８】
第５の態様を参照すると、第１の可能な実現方式では、アクセス要求メッセージを第２のＭＭＥに転送し、それによって第２のＭＭＥがＵＥのアクセス要求手続を実行するステップの後に、方法は、
アクセス要求手続の実行中にＵＥと第２のＭＭＥとの間で生成される対話メッセージを受信するステップと、
アクセス要求手続の実行中にＵＥと第２のＭＭＥとの間で生成される対話メッセージを転送するステップとを更に含む。
【００２９】
第５の態様、又は第５の態様の第１の可能な実現方式を参照すると、第２の可能な実現方式では、ＵＥの識別子情報に従って、ＵＥがアクセスすることを必要とするＭＭＥのタイプを判定するステップは具体的には、
ＵＥの識別子情報、及び事前構成指示情報に従って、ＵＥがアクセスすることを必要とするＭＭＥのタイプを判定するステップであって、事前構成指示情報は、ＵＥの識別子情報とＵＥがアクセスすることを必要とするＭＭＥのタイプとの間の対応関係に関する情報を含む、判定するステップを含む。
【００３０】
第５の態様、又は第５の態様の第１の可能な実現方式を参照すると、第３の可能な実現方式では、ＵＥの識別子情報に従って、ＵＥがアクセスすることを必要とするＭＭＥのタイプを判定するステップは具体的には、
ホーム加入者サーバＨＳＳからＵＥの加入データをＵＥの識別子情報に従って取得するステップであって、加入データはＵＥがアクセスすることを必要とするＭＭＥのタイプに関する情報を含む、取得するステップと、
加入データに従って、ＵＥがアクセスすることを必要とするＭＭＥのタイプを判定するステップとを含む。
【００３１】
第５の態様、又は第５の態様の第１の可能な実現方式を参照すると、第４の可能な実現方式では、ＵＥの識別子情報に従って、ＵＥがアクセスすることを必要とするＭＭＥのタイプを判定するステップは具体的には、
ＵＥの識別子情報に従ってＵＥのモビリティ管理コンテキスト情報をＵＥによりアクセスされる元のＭＭＥから取得するステップであって、モビリティ管理コンテキスト情報はＵＥがアクセスすることを必要とするＭＭＥのタイプに関する情報を含む、取得するステップと、
モビリティ管理コンテキスト情報に従って、ＵＥがアクセスすることを必要とするＭＭＥのタイプを判定するステップとを含む。
【００３２】
第５の態様の第４の可能な実現方式によると、第５の可能な実現方式では、アクセス要求メッセージを第２のＭＭＥに転送するステップの後に、方法は、
ＵＥのモビリティ管理コンテキスト情報を第２のＭＭＥに転送するステップを更に含む。
【００３３】
第６の態様によると、モビリティ管理エンティティＭＭＥ再選択方法が提供され、方法は、
ユーザ機器ＵＥにより送出されるとともに第１のＭＭＥにより転送されるアクセス要求メッセージを受信するステップであって、アクセス要求メッセージはＵＥの識別子を含む、受信するステップと、
ＵＥのアクセス要求手続をアクセス要求メッセージに従って実行するステップとを含む。
【００３４】
第６の態様を参照すると、第１の可能な実現方式では、ＵＥのアクセス要求手続をアクセス要求メッセージに従って実行するステップは具体的には、
第１のＭＭＥを使用することにより対話メッセージをＵＥに送出し、第１のＭＭＥを使用することにより、ＵＥにより送出される対話メッセージを受信するステップを含む。
【００３５】
第６の態様、又は第６の態様の第１の可能な実現方式を参照すると、第２の可能な実現方式では、ＵＥのアクセス要求手続をアクセス要求メッセージに従って実行するステップの前に、方法は、
第１のＭＭＥにより転送されるＵＥのモビリティ管理コンテキスト情報を受信するステップを更に含み、
ＵＥのアクセス要求手続をアクセス要求メッセージに従って実行するステップは具体的には、
ＵＥのアクセス要求手続をＵＥのアクセス要求メッセージ及びモビリティ管理コンテキスト情報に従って実行するステップを含む。
【００３６】
第６の態様、又は第６の態様の第１の可能な実現方式を参照すると、第３の可能な実現方式では、ユーザ機器ＵＥにより送出されるとともに第１のＭＭＥにより転送されるアクセス要求メッセージを受信するステップの後に、方法は、
モビリティ管理コンテキスト要求メッセージを、アクセス要求メッセージで搬送されるＵＥの識別子に従ってＵＥの元のＭＭＥに送出するステップと、
ＵＥの元のＭＭＥにより送出されるモビリティ管理コンテキスト応答メッセージを受信するステップであって、モビリティ管理コンテキスト応答メッセージはＵＥのモビリティ管理コンテキスト情報を搬送する、受信するステップとを更に含み、
ＵＥのアクセス要求手続をアクセス要求メッセージに従って実行するステップは具体的には、
ＵＥのアクセス要求手続をＵＥのアクセス要求メッセージ及びモビリティ管理コンテキスト情報に従って実行するステップを含む。
【００３７】
本発明の実施形態で提供されるＭＭＥ再選択方法及びＭＭＥによって、上述の技術的解決策に基づいて、第１のＭＭＥは、ＵＥに対して、ＵＥがアクセスすることを必要とするＭＭＥ、すなわち第２のＭＭＥを再選択し、ＵＥのアクセス要求メッセージを第２のＭＭＥに転送することができ、第２のＭＭＥは、ＵＥのアクセス要求手続を第１のＭＭＥにより転送されるＵＥのアクセス要求メッセージに従って実行することができ、それによってＵＥは、正しいＭＭＥを適時に使用して、アクセス要求手続を実行することができる。
【００３８】
本発明の実施形態におけるか、又は従来技術における技術的解決策をより明確に説明するために、下記は、実施形態又は従来技術を説明するために必要とされる添付図面を簡潔に説明する。明らかに、下記の説明における添付図面は、単に本発明の一部の実施形態を示し、当業者はさらに、他の図面をこれらの添付図面から、創造的努力なしに導出することが可能である。
【図面の簡単な説明】
【００３９】
【図１】ＬＴＥにおける進化型パケットシステムＥＰＳのワイヤレスネットワークのアーキテクチャの線図である。
【図２】ＬＴＥにおけるアタッチ手続の概略対話線図である。
【図３】ＬＴＥにおけるルーティングエリア更新手続の概略対話線図である。
【図４】本発明の一実施形態による、第１のＭＭＥの概略構造構成線図である。
【図５】本発明の一実施形態による、第２のＭＭＥの概略構造構成線図である。
【図５ａ】本発明の一実施形態による、別の第２のＭＭＥの概略構造構成線図である。
【図６】本発明の一実施形態による、第１のＭＭＥの概略構造構成線図である。
【図７】本発明の一実施形態による、第２のＭＭＥの概略構造構成線図である。
【図７ａ】本発明の一実施形態による、別の第２のＭＭＥの概略構造構成線図である。
【図８】本発明の一実施形態による、ＭＭＥ再選択方法の概略フローチャート１である。
【図９】本発明の一実施形態による、ＭＭＥ再選択方法の概略フローチャート２である。
【図１０】本発明の一実施形態による、ＭＭＥ再選択方法においてアタッチ手続を実行する概略対話線図１である。
【図１１】本発明の一実施形態による、ＭＭＥ再選択方法においてアタッチ手続を実行する概略対話線図２である。
【図１２】本発明の一実施形態による、ＭＭＥ再選択方法においてルーティングエリア更新手続を実行する概略対話線図１である。
【図１３】本発明の一実施形態による、ＭＭＥ再選択方法においてルーティングエリア更新手続を実行する概略対話線図２である。
【発明を実施するための形態】
【００４０】
下記は、本発明の実施形態における技術的解決策を、本発明の実施形態における添付図面を参照して明確に説明する。明らかに、説明される実施形態は、本発明の実施形態の単に一部ではあるが、すべてではない。当業者により本発明の実施形態に基づいて創造的努力なしに取得されるすべての他の実施形態は、本発明の保護範囲内にあるものとする。
【００４１】
加えて、下記の実施形態を簡潔に説明するために、いくつかの関係付けられる定義が下記で提供され、詳細は下記の通りである。
【００４２】
第１のＭＭＥ：ネットワークトポロジーに従って、ＵＥのためにｅＮｏｄｅＢにより選択されるＭＭＥ。
【００４３】
第２のＭＭＥ：第１のＭＭＥにより、ＵＥの識別子情報に従って判定されるとともに、ＵＥがアクセスすることを必要とするＭＭＥであり、ＵＥがアクセスすることを必要とするＭＭＥは、第２のＭＭＥと呼称される。
【００４４】
元のＭＭＥ：ＵＥが現在のルーティングエリア更新要求を起動する前に、ＵＥのアタッチ手続を実行するＭＭＥ又は以前のルーティングエリア更新手続を実行するＭＭＥ。
【００４５】
具体的には、現在のルーティングエリア更新要求が起動される前に、ＵＥにより起動された、以前に完了されたアクセス要求がアタッチ要求であるならば、元のＭＭＥは本明細書では、ＵＥのアタッチ手続を実行するＭＭＥを指し、現在のルーティングエリア更新要求が起動される前に、ＵＥにより起動された、以前に完了されたアクセス要求がルーティングエリア更新要求であるならば、元のＭＭＥは本明細書では、以前のルーティングエリア更新手続を実行するＭＭＥを指す。
【００４６】
上述の定義は、下記の実施形態に適用可能であり、本明細書で合わせて説明され、詳細は下記で再び説明されない、ということが留意されるべきである。
【００４７】
ＬＴＥは、非公式には３．９Ｇと呼称され、１００Ｍｂｐｓのデータダウンローディング能力を有し、３Ｇから４Ｇに進化する主流技術と考えられる。進化型パケットコア（Evolved  Packet  Core、略してＥＰＣ）は、オペレータがＬＴＥ技術を使用することにより先進的なモバイルブロードバンドサービスを提供するのを支援する、解決策のセットである。ＬＴＥにおけるコアネットワークはＥＰＣに進化し、ＥＰＣ及び進化型ユニバーサル地上無線アクセスネットワーク（Evolved  Universal  Terrestrial  Radio  Access  Network、略してＥＵＴＲＡＮ）の組み合わせは、進化型パケットシステム（Evolved  Packet  System、略してＥＰＳ）と呼称される。
【００４８】
ＥＰＳのワイヤレスネットワークアーキテクチャは、図１で示されるとともに、ＵＥ、ＥＵＴＲＡＮ、ＭＭＥ、サービングゲートウェイ（Serving  Gateway、略してＳ−ＧＷ）、パケットデータネットワークゲートウェイ（Packet  Data  Network  Gateway、略してＰ−ＧＷ）、ＨＳＳ、サービング汎用パケット無線サービスサポートノード（Serving  General  Packet  Radio  Service  Support  Node、略してＳＧＳＮ）、ポリシー及び課金ルール機能（Policy  and  Charging  Rules  Function、略してＰＣＲＦ）ユニットのようなネットワークエンティティ、並びに、サーバであって、それを使用することによりオペレータがＩＰサービスを提供し得るサーバを含む。
【００４９】
具体的には、主なネットワークエンティティの機能は、下記の通りである。
【００５０】
ＥＵＴＲＡＮは、複数個のｅＮｏｄｅＢを含むネットワークであり、ワイヤレス物理レイヤ機能、リソーススケジューリング及び無線リソース管理、無線アクセス制御、並びにモビリティ管理機能を実現する。
【００５１】
ｅＮｏｄｅＢは、ユーザプレーンインターフェイスＳ１−Ｕを使用することによりＳ−ＧＷに接続され、ユーザデータを移送するように構成され、制御プレーンインターフェイスＳ１−ＭＭＥを使用することによりＭＭＥに接続されるとともに、Ｓ１−ＡＰプロトコルを使用することにより、無線アクセスベアラなどを制御する機能を実現する。
【００５２】
ＭＭＥは、ＮＡＳシグナリング及びセキュリティセッティング、トラッキングエリアリスト管理、Ｐ−ＧＷ及びＳ−ＧＷの選択などを含む、ユーザセッション管理におけるすべての制御プレーン機能に関与する。
【００５３】
Ｓ−ＧＷは、ＵＥのデータを送信及び転送すること、並びにルーティングスイッチングに関与し、ＵＥが複数のｅＮｏｄｅＢの間のスイッチングを遂行するときに、ローカルモビリティアンカーポイント（local  mobility  anchoring  point）として使用される（各々のＵＥに対して、各々の時点で１つのＳ−ＧＷのみがＵＥにサービスする）。
【００５４】
Ｐ−ＧＷは、ＰＤＮ接続のアンカーポイント（anchoring  point）として使用され、ＵＥのＩＰアドレスを割り当てること、ＵＥのデータパケットをフィルタリングすること、レート制御、課金情報を生成することなどに関与する。
【００５５】
具体的には、ＵＥは、ＥＰＳネットワークにアクセスし、アタッチ手続又はルーティングエリア更新手続を使用することにより、パケットデータネットワーク（Packet  Data  Gateway、ＰＤＮ）接続を確立する。このプロセスでは、Ｐ−ＧＷは、ＩＰアドレスをユーザ機器に割り当て、ＵＥは、ＩＰアドレスを使用することにより、外部ネットワークとのデータ送信を実現する。
【００５６】
最初に、本発明の理解を容易にするために、従来技術におけるＵＥのアタッチ手続及びルーティングエリア更新手続が、簡潔に下記で説明される。
【００５７】
具体的には、ＵＥのアタッチ手続の実現プロセスが図２で示され、詳細は下記の通りである。
【００５８】
２０１：ＵＥは、アタッチ要求メッセージをｅＮｏｄｅＢに送出する。
【００５９】
アタッチ要求メッセージは、ＩＭＳＩ、ＵＥのコアネットワーク能力、ＵＥにより指定される間欠受信パラメータ、暗号化オプション送信マーク、アタッチタイプ、ＮＡＳシーケンス番号、及びＮＡＳ媒体アクセス制御のような情報を含む。
【００６０】
２０２：ｅＮｏｄｅＢは、第１のＭＭＥに、ＵＥにより送出されるアタッチ要求メッセージを転送する。
【００６１】
アタッチ要求メッセージは、ユーザ位置情報を更に含む。
【００６２】
２０３ａ：第１のＭＭＥ及びＨＳＳは、ＵＥを認証する。
【００６３】
２０３ｂ：第１のＭＭＥ及びＵＥは、セキュリティセッティングを非アクセス層（Non-Access-Stratum、略してＮＡＳ）メッセージに関して遂行する。
【００６４】
具体的には、第１のＭＭＥ及びＵＥは、完全性保護、暗号化方式、又はキー情報のようなセキュリティセッティングをＮＡＳメッセージに関して遂行する。
【００６５】
２０４：第１のＭＭＥは、位置更新要求メッセージ及び位置更新要求確認応答メッセージをＨＳＳと交換する。
【００６６】
具体的には、第１のＭＭＥは、位置更新要求メッセージをＨＳＳに送出する。ＨＳＳは、ＵＥが位置づけられるＭＭＥの位置に関する記憶された情報を更新し、更新が完了された後に、位置更新要求確認応答メッセージを第１のＭＭＥに返し、ＵＥの加入情報を第１のＭＭＥに返す。
【００６７】
２０５：第１のＭＭＥは、セッション作成要求メッセージをＳ−ＧＷに送出する。
【００６８】
具体的には、第１のＭＭＥは、ＵＥの加入情報に従って、ＵＥのためのＳ−ＧＷ及びＰ−ＧＷを選択し、セッション作成要求メッセージを選択されたＳ−ＧＷに送出する。
【００６９】
セッション作成要求メッセージは、ＵＥのＩＭＳＩ、アクセスされることを必要とするＰ−ＧＷのアドレス、アクセス技術のタイプ、ユーザ位置情報、ＥＰＳベアラの識別子などを含む。
【００７０】
２０６：Ｓ−ＧＷは、Ｐ−ＧＷに接続され、セッション作成要求メッセージをＰ−ＧＷに送出する。
【００７１】
具体的には、Ｓ−ＧＷは、デフォルトベアラコンテキスト情報を作成し、アクセスされることを必要とするＰ−ＧＷの、セッション要求メッセージに含まれるアドレスに従って、Ｐ−ＧＷに接続するとともに、セッション作成要求メッセージをＰ−ＧＷを送出する。
【００７２】
デフォルトベアラコンテキスト情報は、デフォルトベアラへのユーザプレーントンネルエンドポイント識別子（Tunnel  End  Point  Identifier、略してＴＥＩＤ）の割り当てなどを含む。
【００７３】
セッション作成メッセージは、ＩＭＳＩ、Ｓ−ＧＷのユーザプレーンアドレス、Ｓ−ＧＷのユーザプレーンＴＥＩＤ、アクセス技術のタイプ、ユーザ位置情報、ＥＰＳベアラの識別子などを含む。
【００７４】
２０７：Ｐ−ＧＷは、セッション作成応答メッセージをＳ−ＧＷに返す。
【００７５】
具体的には、Ｐ−ＧＷは、デフォルトベアラコンテキスト情報を作成し、デフォルトベアラの課金識別子を生成し、セッション作成応答メッセージをＳ−ＧＷに返す。
【００７６】
デフォルトベアラコンテキスト情報は、デフォルトベアラへのユーザプレーンＴＥＩＤの割り当てを含む。
【００７７】
セッション作成応答メッセージは、Ｐ−ＧＷのユーザプレーンアドレス、Ｐ−ＧＷのユーザプレーンＴＥＩＤ、ＥＰＳベアラの識別子、及びＵＥに割り当てられるＩＰアドレスのような情報を含む。このステップから、Ｐ−ＧＷは、初期ダウンリンクデータを転送することを開始する。このステップから、Ｓ−ＧＷは、Ｐ−ＧＷから受信されるダウンリンクデータをバッファリングすることを開始する。
【００７８】
２０８：Ｓ−ＧＷは、セッション作成応答メッセージを第１のＭＭＥに返す。
【００７９】
セッション作成応答メッセージは、ＵＥに割り当てられるＩＰアドレス、Ｓ−ＧＷのユーザプレーンアドレス、Ｓ−ＧＷのユーザプレーンＴＥＩＤ、ＥＰＳベアラのサービスの品質（Quality  of  Service、略してＱｏＳ）、ＥＰＳベアラの識別子などを含む。
【００８０】
２０９：第１のＭＭＥは、初期コンテキストセットアップ要求メッセージをｅＮｏｄｅＢに送出する。
【００８１】
初期コンテキストセットアップ要求メッセージは、ＥＰＳベアラのＱｏＳ、ＥＰＳベアラの識別子、Ｓ−ＧＷのユーザプレーンアドレス、及びＳ−ＧＷのユーザプレーンＴＥＩＤのような情報を含む。初期コンテキストセットアップ要求メッセージは、第１のＭＭＥによりＵＥに対してｅＮｏｄｅＢを使用することにより送出されるアタッチ受諾メッセージの内容を更に含み、アタッチ受諾メッセージの内容は、ＵＥに割り当てられるＩＰアドレス、ＥＰＳベアラの識別子、及びＥＰＳベアラのＱｏＳのような情報を含む。
【００８２】
２１０：ｅＮｏｄｅＢは、無線リソース制御プロトコル接続再構成メッセージをＵＥに送出する。
【００８３】
無線リソース制御プロトコル接続再構成メッセージは、第１のＭＭＥによりＵＥに対してｅＮｏｄｅＢを使用することにより送出されるアタッチ受諾メッセージの内容を更に含み、アタッチ受諾メッセージの内容は、ＵＥに割り当てられるＩＰアドレス、ＥＰＳベアラの識別子、及びＥＰＳベアラのＱｏＳのような情報を含む。
【００８４】
２１１：ＵＥは、無線リソース制御プロトコル接続再構成完了メッセージをｅＮｏｄｅＢに送出する。
【００８５】
２１２：ｅＮｏｄｅＢは、初期コンテキストセットアップ応答メッセージを第１のＭＭＥに送出する。
【００８６】
初期コンテキストセットアップ応答メッセージは、ｅＮｏｄｅＢによりユーザプレーンに割り当てられるＴＥＩＤ、ｅＮｏｄｅＢのユーザプレーンアドレスなどを含む。
【００８７】
２１３：ＵＥは、直接送信メッセージをｅＮｏｄｅＢに送出する。
【００８８】
直接送信メッセージは、ＵＥにより第１のＭＭＥに対してｅＮｏｄｅＢを使用することにより送出されるアタッチ完了メッセージの内容を含む。
【００８９】
２１４：ｅＮｏｄｅＢは、アタッチ完了メッセージを第１のＭＭＥに転送する。
【００９０】
２１５：第１のＭＭＥは、ベアラ更新要求メッセージをＳ−ＧＷに送出する。
【００９１】
具体的には、第１のＭＭＥが初期コンテキストセットアップ応答メッセージ及びアタッチ完了メッセージを受信した後に、第１のＭＭＥは、ベアラ更新要求メッセージをＳ−ＧＷに送出する。
【００９２】
ベアラ更新要求メッセージは、ｅＮｏｄｅＢによりユーザプレーンに割り当てられるＴＥＩＤ、及びｅＮｏｄｅＢのユーザプレーンアドレスを含む。
【００９３】
２１６：Ｓ−ＧＷは、ベアラ更新応答メッセージを第１のＭＭＥに送出し、ｅＮｏｄｅＢに、ステップ２０７から開始してバッファリングされているダウンリンクデータパケットを送出することを開始する。
【００９４】
ＵＥのルーティングエリア更新手続の実現プロセスが図３で示され、詳細は下記の通りである。
【００９５】
３０１：ＵＥは、ルーティングエリア更新要求メッセージをｅＮｏｄｅＢに送出する。
【００９６】
ルーティングエリア更新要求メッセージは、ＵＥのグローバル一意一時識別子（Globally  Unique  Temporary  Identity、略してＧＵＴＩ）を含み、識別子は、元のＭＭＥにより割り当てられ、ＧＵＴＩは、グローバル一意ＭＭＥ識別子（英語ではGlobally  Unique  MME  Identifier、略してＧＵＭＭＥＩ）を含み、ＧＵＭＭＥＩは、ＵＥのアタッチ手続を実行するＭＭＥ、又は以前のルーティングエリア更新手続を実行するＭＭＥにより、ＵＥに割り当てられる。
【００９７】
３０２：ｅＮｏｄｅＢは、ルーティングエリア更新要求メッセージを第１のＭＭＥに転送する。
【００９８】
具体的には、ｅＮｏｄｅＢは、ＵＥのために、１つのＭＭＥ、すなわち第１のＭＭＥをネットワークトポロジーに従って選択し、ＵＥのルーティングエリア更新要求を第１のＭＭＥに転送する。
【００９９】
３０３：第１のＭＭＥは、モビリティ管理コンテキスト要求メッセージを元のＭＭＥに送出する。
【０１００】
具体的には、第１のＭＭＥは、ＧＵＴＩに含まれるＧＵＭＭＥＩに関する情報に従って、ＵＥのモビリティ管理コンテキストが位置づけられる元のＭＭＥのアドレスを知得し、モビリティ管理コンテキスト要求メッセージを元のＭＭＥに送出する。
【０１０１】
モビリティ管理コンテキスト要求メッセージは、ＵＥのＧＵＴＩを含む。
【０１０２】
３０４：元のＭＭＥは、モビリティ管理コンテキスト応答メッセージを第１のＭＭＥに返す。
【０１０３】
具体的には、元のＭＭＥは、ＵＥのモビリティ管理コンテキストをＵＥのＧＵＴＩに従って判定し、モビリティ管理コンテキスト応答メッセージに含まれる、ＵＥのモビリティ管理コンテキストを、第１のＭＭＥに返す。
【０１０４】
３０５ａ：第１のＭＭＥ及びＨＳＳは、ＵＥを認証する。
【０１０５】
３０５ｂ：第１のＭＭＥ及びＵＥは、セキュリティセッティングをＮＡＳメッセージに関して遂行する。
【０１０６】
具体的には、第１のＭＭＥ及びＵＥは、完全性保護、暗号化方式、又はキー情報のようなセキュリティセッティングをＮＡＳメッセージに関して遂行する。
【０１０７】
このステップが存在するかどうかは３０４に依存する、ということが留意されるべきである。
【０１０８】
３０４において元のＭＭＥにより第１のＭＭＥに返されるモビリティ管理コンテキストが元のＭＭＥ及びＵＥのセキュリティコンテキストを含むならば、このステップは省略され、第１のＭＭＥ及びＵＥは、セキュリティセッティングをＮＡＳメッセージに関して遂行することを必要としない。
【０１０９】
３０４において元のＭＭＥにより第１のＭＭＥに返されるモビリティ管理コンテキストが元のＭＭＥ及びＵＥのセキュリティコンテキストを含まないならば、第１のＭＭＥ及びＵＥは、このステップにおいて、セキュリティセッティングをＮＡＳメッセージに関して遂行することを必要とする。
【０１１０】
３０６：第１のＭＭＥは、コンテキスト確認応答メッセージを元のＭＭＥに送出する。
【０１１１】
コンテキストメッセージは、Ｓ−ＧＷがルーティングエリア更新手続で変化したかどうかを指示するＳ−ＧＷ変化指示を含み、それによって元のＭＭＥは、元のＳ−ＧＷの記憶されたユーザコンテキストを削除すべきかどうかを判断し、ここで、元のＳ−ＧＷは、元のＭＭＥによりＵＥに対して選択されるＳ−ＧＷである。
【０１１２】
３０７：第１のＭＭＥは、ベアラ更新要求メッセージをＳ−ＧＷに提出する。
【０１１３】
具体的には、第１のＭＭＥは、ベアラ更新要求メッセージをＳ−ＧＷに提出し、現在のＵＥの位置情報などを提供する。
【０１１４】
３０８：Ｓ−ＧＷは、ベアラ更新要求メッセージをＰ−ＧＷに送出する。
【０１１５】
３０９：Ｐ−ＧＷは、ベアラ更新応答メッセージをＳ−ＧＷに返す。
【０１１６】
３１０：Ｓ−ＧＷは、ベアラ更新応答メッセージを第１のＭＭＥに送出する。
【０１１７】
３１１：第１のＭＭＥは、位置更新要求メッセージをＨＳＳに送出する。
【０１１８】
具体的には、第１のＭＭＥは、位置更新要求メッセージをＨＳＳに送出し、ＨＳＳは、ＵＥの記憶された位置情報を更新し、ここで、ＨＳＳは、ＵＥが元のＭＭＥによりサービスされる位置に関する情報を、ＵＥが第１のＭＭＥによりサービスされる位置に関する情報に更新する。
【０１１９】
３１２：ＨＳＳは、位置削除要求メッセージ及び位置削除要求確認応答メッセージを元のＭＭＥと交換する。
【０１２０】
具体的には、ＨＳＳは、位置削除要求メッセージを元のＭＭＥに送出し、元のＭＭＥは、ユーザモビリティ管理コンテキストを除去し、位置削除確認応答メッセージをＨＳＳに返す。
【０１２１】
３１３：ＨＳＳは、位置更新要求確認応答メッセージを第１のＭＭＥに返す。
【０１２２】
具体的には、ＵＥが位置づけられる第１のＭＭＥの位置に関する情報を更新した後に、ＨＳＳは、位置更新要求確認応答メッセージを第１のＭＭＥに返し、ユーザ加入データを第１のＭＭＥに送出する。
【０１２３】
３１４：第１のＭＭＥは、ルーティングエリア更新受諾メッセージをｅＮｏｄｅＢに送出する。
【０１２４】
ルーティングエリア更新受諾メッセージは、第１のＭＭＥによりＵＥに再度割り当てられるＧＵＴＩを含む。
【０１２５】
３１５：ｅＮｏｄｅＢは、ルーティングエリア更新受諾メッセージをＵＥに転送する。
【０１２６】
上述の手続の具体的な実現プロセスでは、ＵＥがアタッチ手続又はルーティングエリア更新手続を実行するときに、ｅＮｏｄｅＢは、ネットワークトポロジーのみに依存してＵＥのためのＭＭＥを選択し、したがって、ｅＮｏｄｅＢが、ＵＥに対して誤ったＭＭＥを選択するということが起こり得る。
【０１２７】
これに鑑みて、本発明の実施形態は、第１のＭＭＥを提供する。図４で示されるように、ＭＭＥは、受信ユニット４０１と、判定ユニット４０２と、再選択ユニット４０３と、送出ユニット４０４とを含む。
【０１２８】
受信ユニット４０１は、ユーザ機器ＵＥにより送出されるアクセス要求メッセージを受信するように構成され、ここで、アクセス要求メッセージはＵＥの識別子情報を搬送する。
【０１２９】
判定ユニット４０２は、ＵＥの識別子情報に従って、ＵＥがアクセスすることを必要とするＭＭＥのタイプを判定するように構成される。
【０１３０】
再選択ユニット４０３は、ＵＥがアクセスすることを必要とするＭＭＥのタイプに従って第２のＭＭＥを再選択するように構成される。
【０１３１】
送出ユニット４０４は、アクセス要求メッセージを第２のＭＭＥに転送し、それによって第２のＭＭＥがＵＥのアクセス要求手続を実行するように構成される。
【０１３２】
任意選択により、受信ユニット４０１は、アクセス要求手続の実行中にＵＥと第２のＭＭＥとの間で生成される対話メッセージを受信するように更に構成され、
任意選択により、送出ユニット４０４は、アクセス要求手続の実行中にＵＥと第２のＭＭＥとの間で生成される対話メッセージを転送するように更に構成される。
【０１３３】
判定ユニット４０２は具体的には、
ＵＥの識別子情報、及び事前構成指示情報に従って、ＵＥがアクセスすることを必要とするＭＭＥのタイプを判定するように構成され、ここで、事前構成指示情報は、ＵＥの識別子情報とＵＥがアクセスすることを必要とするＭＭＥのタイプとの間の対応関係に関する情報を含む。
【０１３４】
任意選択により、判定ユニット４０２は具体的には、ホーム加入者サーバＨＳＳからＵＥの加入データをＵＥの識別子情報に従って取得し、加入データはＵＥがアクセスすることを必要とするＭＭＥのタイプに関する情報を含むとともに、加入データに従って、ＵＥがアクセスすることを必要とするＭＭＥのタイプを判定するように更に構成される。
【０１３５】
任意選択により、判定ユニット４０２は具体的には、ＵＥの識別子情報に従ってＵＥのモビリティ管理コンテキスト情報をＵＥによりアクセスされる元のＭＭＥから取得し、モビリティ管理コンテキスト情報はＵＥがアクセスすることを必要とするＭＭＥのタイプに関する情報を含むとともに、モビリティ管理コンテキスト情報に従って、ＵＥがアクセスすることを必要とするＭＭＥのタイプを判定するように更に構成される。
【０１３６】
任意選択により、送出ユニット４０４は具体的には、ＵＥのアクセス要求メッセージ及びモビリティ管理コンテキスト情報を第２のＭＭＥに転送し、それによって第２のＭＭＥがＵＥのアクセス要求手続をＵＥのアクセス要求メッセージ及びモビリティ管理コンテキスト情報に従って実行するように構成される。
【０１３７】
本発明のこの実施形態は、第１のＭＭＥを提供する。上述の技術的解決策に基づいて、第１のＭＭＥは、ＵＥに対して、ＵＥがアクセスすることを必要とするＭＭＥ、すなわち第２のＭＭＥを再選択し、ＵＥのアクセス要求メッセージを第２のＭＭＥに転送することができ、それによってＵＥは、正しいＭＭＥを適時に使用して、アクセス要求手続を実行することができる。
【０１３８】
上述の実施形態で提供される第１のＭＭＥに基づいて、本発明の実施形態は、第２のＭＭＥを更に提供する。図５で示されるように、ＭＭＥは、受信ユニット５０１と、処理ユニット５０２とを含む。
【０１３９】
受信ユニット５０１は、ユーザ機器ＵＥにより送出されるとともに第１のＭＭＥにより転送されるアクセス要求メッセージを受信するように構成され、ここで、アクセス要求メッセージはＵＥの識別子を含み、
処理ユニット５０２は、ＵＥのアクセス要求手続をアクセス要求メッセージに従って実行するように構成される。
【０１４０】
任意選択により、図５ａで示されるように、第２のＭＭＥは、
処理ユニット５０２がＵＥのアクセス要求手続をアクセス要求メッセージに従って実行するときに、第１のＭＭＥを使用することにより対話メッセージをＵＥに送出するように構成される送出ユニット５０３を更に含み、
受信ユニット５０１は具体的には、処理ユニット５０２がＵＥのアクセス要求手続をアクセス要求メッセージに従って実行するときに、第１のＭＭＥを使用することにより、ＵＥにより送出される対話メッセージを受信するように構成される。
【０１４１】
任意選択により、受信ユニット５０１は、第１のＭＭＥにより転送されるＵＥのモビリティ管理コンテキスト情報を受信するように更に構成され、
処理ユニット５０２は具体的には、ＵＥのアクセス要求手続をＵＥのアクセス要求メッセージ及びモビリティ管理コンテキスト情報に従って実行するように構成される。
【０１４２】
任意選択により、送出ユニット５０３は、モビリティ管理コンテキスト要求メッセージを、アクセス要求メッセージで搬送されるＵＥの識別子に従ってＵＥの元のＭＭＥに送出するように更に構成され、
受信ユニット５０１は、ＵＥの元のＭＭＥにより送出されるモビリティ管理コンテキスト応答メッセージを受信するように更に構成され、ここで、モビリティ管理コンテキスト応答メッセージはＵＥのモビリティ管理コンテキスト情報を搬送し、
処理ユニット５０２は具体的には、ＵＥのアクセス要求手続をＵＥのアクセス要求メッセージ及びモビリティ管理コンテキスト情報に従って実行するように構成される。
【０１４３】
本発明のこの実施形態は、第２のＭＭＥを提供する。上述の技術的解決策に基づいて、第２のＭＭＥは、ＵＥのアクセス要求手続を第１のＭＭＥにより転送されるＵＥのアクセス要求メッセージに従って実行することができ、それによってＵＥは、正しいＭＭＥを適時に使用して、アクセス要求手続を実行することができる。
【０１４４】
上述の実施形態で提供される第１のＭＭＥに基づいて、本発明の実施形態は、第１のＭＭＥを更に提供する。図６で示されるように、第１のＭＭＥは、受信器６０１と、プロセッサ６０２と、送信器６０３と、メモリ６０４と、これらの装置の間の接続及び通信を実現するように構成される第１の通信バス６０５とを含む。
【０１４５】
プロセッサ６０２は、中央処理ユニット（Central  Processing  Unit、略してＣＰＵ）若しくは特定用途向け集積回路（Application  Specific  Integrated  Circuit、略してＡＳＩＣ）であり得るか、又は本発明のこの実施形態を実現する１つ若しくは複数の集積回路として構成される。
【０１４６】
プロセッサ６０２は、メモリ６０４に記憶される実行可能プログラムコード、例えばコンピュータプログラムを実行して、実行可能コードに対応するプログラムを走らせるように構成される。
【０１４７】
メモリ６０４は、実行可能プログラムコードを記憶するように構成され、ここで、プログラムコードはコンピュータ動作命令を含む。メモリ６０４は、高速ＲＡＭメモリを含み得るとともに、少なくとも１つの磁気ディスク記憶装置のような、不揮発性メモリ（non-volatile  memory）を更に含み得る。
【０１４８】
第１の通信バス６０５は、業界標準アーキテクチャ（Industry  Standard  Architecture、略してＩＳＡ）バス、周辺コンポーネント相互接続（Peripheral  Component  Interconnect、略してＰＣＩ）バス、拡張業界標準アーキテクチャ（Extended  Industry  Standard  Architecture、略してＥＩＳＡ）バス、又は類するものであり得る。バス６０５は、アドレスバス、データバス、制御バスなどに分類され得る。表現を容易にするために、図６におけるバスは、１つの太線のみを使用することにより表されるが、それは、１つのバスのみ、又はバスの１つのタイプのみが存在するということを指示するものではない。
【０１４９】
具体的には、受信器６０１は、ユーザ機器ＵＥにより送出されるアクセス要求メッセージを受信するように構成され、ここで、アクセス要求メッセージはＵＥの識別子情報を搬送し、
プロセッサ６０２は、ＵＥの識別子情報に従って、ＵＥがアクセスすることを必要とするＭＭＥのタイプを判定し、ＵＥがアクセスすることを必要とするＭＭＥのタイプに従って第２のＭＭＥを再選択するように構成され、
送信器６０３は、アクセス要求メッセージを第２のＭＭＥに転送し、それによって第２のＭＭＥがＵＥのアクセス要求手続を実行するように構成される。
【０１５０】
任意選択により、受信器６０１は、アクセス要求手続の実行中にＵＥと第２のＭＭＥとの間で生成される対話メッセージを受信するように更に構成され、
送信器６０３は、アクセス要求手続の実行中にＵＥと第２のＭＭＥとの間で生成される対話メッセージを転送するように更に構成される。
【０１５１】
プロセッサ６０２は具体的には、ＵＥの識別子情報、及び事前構成指示情報に従って、ＵＥがアクセスすることを必要とするＭＭＥのタイプを判定するように構成され、ここで、事前構成指示情報は、ＵＥの識別子情報とＵＥがアクセスすることを必要とするＭＭＥのタイプとの間の対応関係に関する情報を含む。
【０１５２】
任意選択により、プロセッサ６０２は具体的には、ホーム加入者サーバＨＳＳからＵＥの加入データをＵＥの識別子情報に従って取得し、加入データはＵＥがアクセスすることを必要とするＭＭＥのタイプに関する情報を含むとともに、加入データに従って、ＵＥがアクセスすることを必要とするＭＭＥのタイプを判定するように更に構成される。
【０１５３】
任意選択により、プロセッサ６０２は具体的には、ＵＥの識別子情報に従ってＵＥのモビリティ管理コンテキスト情報をＵＥによりアクセスされる元のＭＭＥから取得し、モビリティ管理コンテキスト情報はＵＥがアクセスすることを必要とするＭＭＥのタイプに関する情報を含むとともに、モビリティ管理コンテキスト情報に従って、ＵＥがアクセスすることを必要とするＭＭＥのタイプを判定するように更に構成される。
【０１５４】
任意選択により、送信器６０３は具体的には、ＵＥのアクセス要求メッセージ及びモビリティ管理コンテキスト情報を第２のＭＭＥに転送し、それによって第２のＭＭＥがＵＥのアクセス要求手続をＵＥのアクセス要求メッセージ及びモビリティ管理コンテキスト情報に従って実行するように構成される。
【０１５５】
本発明のこの実施形態は、第１のＭＭＥを提供する。上述の技術的解決策に基づいて、第１のＭＭＥは、ＵＥに対して、ＵＥがアクセスすることを必要とするＭＭＥ、すなわち第２のＭＭＥを再選択し、ＵＥのアクセス要求メッセージを第２のＭＭＥに転送することができ、それによってＵＥは、正しいＭＭＥを適時に使用して、アクセス要求手続を実行することができる。
【０１５６】
上述の実施形態で提供される第２のＭＭＥに基づいて、本発明の実施形態は、第２のＭＭＥを更に提供する。図７で示されるように、第２のＭＭＥは、受信器７０１と、プロセッサ７０２と、メモリ７０３と、これらの装置の間の接続及び通信を実現するように構成される第１の通信バス７０４とを含む。
【０１５７】
プロセッサ７０２は、中央処理ユニット（Central  Processing  Unit、略してＣＰＵ）若しくは特定用途向け集積回路（Application  Specific  Integrated  Circuit、略してＡＳＩＣ）であり得るか、又は本発明の実施形態を実現する１つ若しくは複数の集積回路として構成される。
【０１５８】
プロセッサ７０２は、メモリ７０３に記憶される実行可能プログラムコード、例えばコンピュータプログラムを実行して、実行可能コードに対応するプログラムを走らせるように構成される。
【０１５９】
メモリ７０３は、実行可能プログラムコードを記憶するように構成され、ここで、プログラムコードはコンピュータ動作命令を含む。メモリ７０３は、高速ＲＡＭメモリを含み得るとともに、少なくとも１つの磁気ディスクメモリのような、不揮発性メモリ（non-volatile  memory）を更に含み得る。
【０１６０】
第１の通信バス７０４は、業界標準アーキテクチャ（Industry  Standard  Architecture、略してＩＳＡ）バス、周辺コンポーネント相互接続（Peripheral  Component  Interconnect、略してＰＣＩ）バス、拡張業界標準アーキテクチャ（Extended  Industry  Standard  Architecture、略してＥＩＳＡ）バス、又は類するものであり得る。バス７０４は、アドレスバス、データバス、制御バスなどに分類され得る。表現を容易にするために、図７におけるバスは、１つの太線のみを使用することにより表されるが、それは、１つのバスのみ、又はバスの１つのタイプのみが存在するということを指示するものではない。
【０１６１】
具体的には、受信器７０１は、ユーザ機器ＵＥにより送出されるとともに第１のＭＭＥにより転送されるアクセス要求メッセージを受信するように構成され、ここで、アクセス要求メッセージはＵＥの識別子を含み、
プロセッサ７０２は、ＵＥのアクセス要求手続をアクセス要求メッセージに従って実行するように構成される。
【０１６２】
任意選択により、図７ａで示されるように、第２のＭＭＥは、
プロセッサ７０２がＵＥのアクセス要求手続をアクセス要求メッセージに従って実行するときに、第１のＭＭＥを使用することにより対話メッセージをＵＥに送出するように構成される送信器７０５を更に含み、
受信器７０１は具体的には、プロセッサ７０２がＵＥのアクセス要求手続をアクセス要求メッセージに従って実行するときに、第１のＭＭＥを使用することにより、ＵＥにより送出される対話メッセージを受信するように構成される。
【０１６３】
任意選択により、受信器７０１は、第１のＭＭＥにより転送されるＵＥのモビリティ管理コンテキスト情報を受信するように更に構成され、
プロセッサ７０２は具体的には、ＵＥのアクセス要求手続をＵＥのアクセス要求メッセージ及びモビリティ管理コンテキスト情報に従って実行するように構成される。
【０１６４】
任意選択により、送信器７０５は、モビリティ管理コンテキスト要求メッセージを、アクセス要求メッセージで搬送されるＵＥの識別子に従ってＵＥの元のＭＭＥに送出するように更に構成され、
受信器７０１は、ＵＥの元のＭＭＥにより送出されるモビリティ管理コンテキスト応答メッセージを受信するように更に構成され、ここで、モビリティ管理コンテキスト応答メッセージはＵＥのモビリティ管理コンテキスト情報を搬送し、
プロセッサ７０２は具体的には、ＵＥのアクセス要求手続をＵＥのアクセス要求メッセージ及びモビリティ管理コンテキスト情報に従って実行するように構成される。
【０１６５】
本発明のこの実施形態は、第２のＭＭＥを提供する。上述の技術的解決策に基づいて、第２のＭＭＥは、ＵＥのアクセス要求手続を第１のＭＭＥにより転送されるＵＥのアクセス要求メッセージに従って実行することができ、それによってＵＥは、正しいＭＭＥを適時に使用して、アクセス要求手続を実行することができる。
【０１６６】
上述の実施形態で提供される第１のＭＭＥに基づいて、本発明の実施形態は、ＭＭＥ再選択方法を提供する。方法は、第１のＭＭＥにより実行される。図８で示されるように、方法は、下記のステップを含む。
【０１６７】
８０１：ＵＥにより送出されるアクセス要求メッセージを受信し、ここで、アクセス要求メッセージはＵＥの識別子情報を搬送する。
【０１６８】
ＵＥは、ｅＮｏｄｅＢのシステムブロードキャストメッセージに従って、キャンプオンするべき適切なセルを選択し、ｅＮｏｄｅＢに対するアクセス要求手続を起動する。ｅＮｏｄｅＢは、ネットワークトポロジーに従って、ＵＥにサービスするためのＭＭＥを選択し、処理のためにＵＥのアクセス要求メッセージをＭＭＥに転送する。ｅＮｏｄｅＢによりネットワークトポロジーに従って選択されるＭＭＥは、第１のＭＭＥである。
【０１６９】
アクセス要求メッセージは、アタッチ要求又はルーティングエリア更新要求であり得る。
【０１７０】
アクセス要求メッセージのタイプがアタッチ要求メッセージであるならば、ＵＥの識別子情報は、ＵＥの国際移動体加入者識別番号（International  Mobile  Subscriber  Idenitity、略してＩＭＳＩ）である。
【０１７１】
アタッチ要求メッセージは、ＵＥのコアネットワーク能力、ＵＥにより指定される間欠受信パラメータ、暗号化オプション送信マーク、アタッチタイプ、ＮＡＳシーケンス番号、ＮＡＳ媒体アクセス制御などを更に含む。
【０１７２】
アクセス要求メッセージがルーティングエリア更新要求メッセージであるならば、ＵＥの識別子情報は、ＵＥのＩＭＳＩであるか、又は、ＵＥの識別子情報はさらに、ＵＥの以前のアタッチ手続を実行するＭＭＥ若しくは以前のルーティングエリア更新手続にあるＭＭＥにより、現在のルーティングエリア更新要求の前にＵＥに割り当てられるグローバル一意一時識別子（Globally  Unique  Temporary  Identity、略してＧＵＴＩ）であり得る。
【０１７３】
ルーティングエリア更新要求メッセージは、アタッチタイプ及び他の情報を更に含む。
【０１７４】
８０２：ＵＥの識別子情報に従って、ＵＥがアクセスすることを必要とするＭＭＥのタイプを判定する。
【０１７５】
任意選択により、第１のＭＭＥは、ＵＥの識別子情報、及び事前構成指示情報に従って、ＵＥがアクセスすることを必要とするＭＭＥのタイプを判定することができ、ここで、事前構成指示情報は、ＵＥの識別子情報とＵＥがアクセスすることを必要とするＭＭＥのタイプとの間の対応関係に関する情報を含む。
【０１７６】
事前構成指示情報は、ＭＭＥに記憶され、ＵＥの識別子（Identity、略してＩＤ）情報とＵＥがアクセスすることを必要とするＭＭＥのタイプとの間の対応関係に関する情報を含む。
【０１７７】
具体的には、事前構成指示情報に含まれるＵＥの識別子情報は、具体的には、ＵＥのＩＤに関する情報である。
【０１７８】
さらに、第１のＭＭＥは、ＵＥのＩＭＳＩに従って、対応するＵＥのＩＤと、ＵＥがアクセスすることを必要とするＭＭＥのタイプに関する情報とを探索し、ＵＥがアクセスすることを必要とするＭＭＥのタイプを判定し得る。
【０１７９】
任意選択により、第１のＭＭＥは、ホーム加入者サーバＨＳＳからＵＥの加入データをＵＥの識別子情報に従って取得することができ、ここで、加入データはＵＥがアクセスすることを必要とするＭＭＥのタイプに関する情報を含む。
【０１８０】
加入データは、ＨＳＳに記憶され、ＵＥのＩＤとＵＥがアクセスすることを必要とするＭＭＥのタイプとの間の対応関係に関する情報を含む。
【０１８１】
具体的には、ＵＥの加入データに含まれるＵＥの識別子情報は、具体的には、ＵＥのＩＤに関する情報である。
【０１８２】
さらに、第１のＭＭＥは、ＵＥのＩＭＳＩに従って、加入データ内の、対応するＵＥのＩＤとＵＥがアクセスすることを必要とするＭＭＥのタイプに関する情報とを、ＨＳＳに要求するとともに、ＨＳＳから取得し、ＵＥがアクセスすることを必要とするＭＭＥのタイプを判定し得る。
【０１８３】
任意選択により、ＵＥがルーティングエリア更新要求を起動するならば、第１のＭＭＥは、ＵＥの識別子情報に従って、ＵＥのモビリティ管理コンテキストを、ＵＥによりアクセスされる元のＭＭＥから取得することができ、ここで、モビリティ管理コンテキストは、ＵＥがアクセスすることを必要とするＭＭＥのタイプに関する情報を含む。
【０１８４】
モビリティ管理コンテキストは、元のＭＭＥに記憶され、ＵＥの以前のアタッチ手続を実行するＭＭＥ又は以前のルーティングエリア更新手続にあるＭＭＥにより、現在のルーティングエリア更新要求の前にＵＥに割り当てられるＧＵＴＩ、ＵＥがアクセスすることを必要とするＭＭＥのタイプの指示、ＵＥにより前回効果的にアクセスされたＴＡＩ、ＵＥのコアネットワーク能力、ＵＥにより指定される間欠受信パラメータ、パケットデータネットワークのタイプ、セキュリティ暗号化情報（例えば、ＵＥとの対話のための暗号化及び解読方式）、アタッチタイプ、ＮＡＳシーケンス番号、ＮＡＳ媒体アクセス制御などを含む。
【０１８５】
具体的には、モビリティ管理コンテキストに含まれるＵＥの識別子情報は、具体的には、ＵＥのＧＵＴＩである。
【０１８６】
さらに、第１のＭＭＥは、ＵＥのＧＵＴＩに従って、ＵＥのモビリティ管理コンテキストを記憶する元のＭＭＥの識別子を知得し、ＵＥのモビリティ管理コンテキスト情報を転送するように元のＭＭＥに要求し、第１のＭＭＥは、モビリティ管理コンテキスト情報に含まれる、ＵＥがアクセスすることを必要とするＭＭＥのタイプの指示に従って、ＵＥがアクセスすることを必要とするＭＭＥのタイプを判定する。
【０１８７】
オペレータは通常、ＵＥの番号セグメント又はパッケージタイプに従ってＵＥのサービスタイプを区別するので、ＭＭＥのタイプは、ＵＥの番号セグメントに従って分類され得るか、又はＵＥのパッケージタイプに従って分類され得るか、又はオペレータの実際の要件に従って分類され得る、ということが留意されるべきである。どのようにＭＭＥのタイプを分類するかは、具体的には、本発明では限定されない。
【０１８８】
８０３：ＵＥがアクセスすることを必要とするＭＭＥのタイプに従って第２のＭＭＥを再選択する。
【０１８９】
具体的には、ＵＥがアクセスすることを必要とするＭＭＥのタイプが、第１のＭＭＥのタイプと整合しないならば、第１のＭＭＥは、ＵＥがアクセスすることを必要とするＭＭＥのタイプに従って第２のＭＭＥを再選択することができ、第２のＭＭＥのタイプのアドレスは、ネットワーク上のすべてのＭＭＥのタイプに関する事前構成された情報に従って取得されるか、又はＤＮＳサーバから取得され、第１のＭＭＥは、第２のＭＭＥとの接続関係性をアドレスに従って確立して、ＵＥに対するＭＭＥの再選択を実現する。
【０１９０】
アクセスされることを必要とするＭＭＥのタイプが使用され得る複数個のＭＭＥを含むならば、接続は、ネットワークトポロジーに従って選択される最も近いＭＭＥに対して確立される、ということが留意されるべきである。
【０１９１】
８０４：アクセス要求メッセージを第２のＭＭＥに転送し、それによって第２のＭＭＥがＵＥのアクセス要求手続を実行する。
【０１９２】
具体的には、第１のＭＭＥは、すでに受信されたＵＥのアクセス要求メッセージを第２のＭＭＥに転送し、それによって第２のＭＭＥがＵＥのアクセス要求手続を実行することができる。
【０１９３】
ＵＥがアクセスすることを必要とするＭＭＥのタイプが、第１のＭＭＥのタイプと整合するならば、ＭＭＥは再選択されることを必要とせず、第１のＭＭＥは、ＵＥのアクセス要求手続を直接実行及び完了するということを当業者は理解し得る、ということが留意されるべきである。この事例は、本発明の説明の範囲にはない。
【０１９４】
本発明のこの実施形態は、ＭＭＥ再選択方法を提供する。上述の技術的解決策に基づいて、第１のＭＭＥは、ＵＥに対して、ＵＥがアクセスすることを必要とするＭＭＥ、すなわち第２のＭＭＥを再選択し、ＵＥのアクセス要求メッセージを第２のＭＭＥに転送することができ、それによってＵＥは、正しいＭＭＥを適時に使用して、アクセス要求手続を実行することができる。一方で、第１のＭＭＥは、ＵＥに対して、ＵＥのサービスのタイプにマッチングするＭＭＥを選択することができ、それは、異なるサービスに加入するＵＥが、ＵＥのサービスのタイプに対応するＭＭＥにアクセスすることを可能にすることと同等であるので、それによってオペレータは、ＭＭＥを使用して、管理されるＵＥを分類し、それによりオペレータの管理効率を改善することができる。さらに、従来技術におけるＭＭＥは、アクセス要求手続を、ｅＮｏｄｅＢにより転送されるＵＥのアクセス要求メッセージのみに従って実行することができ、一方で、この解決策における第１のＭＭＥは、ＵＥが、ＵＥがアクセスすることを必要とするＭＭＥを選択し、ＵＥのアクセス要求を転送するのを更に支援し得る。したがって、ＵＥが再選択を遂行するとともに、アクセスされることを必要とするＭＭＥにアクセス要求を転送することを、ＭＭＥが支援することができるという目標を達成するために、この解決策が実現される間に、既存のＭＭＥのソフトウェアのみが更新される必要がある。加えて、ＭＭＥの量は相対的に小さいので、オペレータネットワークへの影響もまた、相対的に小さい。
【０１９５】
上述の実施形態で提供される第２のＭＭＥに基づいて、本発明の実施形態は、別のＭＭＥ再選択方法を提供する。方法は、第２のＭＭＥにより実行される。第２のＭＭＥは、第１のＭＭＥにより、ＵＥに対して、ＵＥがアクセスすることを必要とするＭＭＥのタイプに従って再選択されるＭＭＥである。図９で示されるように、方法は、下記のステップを含む。
【０１９６】
９０１：ユーザ機器ＵＥにより送出されるとともに第１のＭＭＥにより転送されるアクセス要求メッセージを受信し、ここで、アクセス要求メッセージはＵＥの識別子を含む。
【０１９７】
第１のＭＭＥは、ＵＥに対して、ｅＮｏｄｅＢによりネットワークトポロジーに従って選択されるＭＭＥである。
【０１９８】
具体的には、第２のＭＭＥは、ＵＥにより送出されるとともに第１のＭＭＥにより転送されるアクセス要求メッセージを受信する。
【０１９９】
アクセス要求メッセージの詳細な説明に関しては、８０１の説明を参照するものとし、この実施形態では、詳細はここでは再び説明されない。
【０２００】
９０２：ＵＥのアクセス要求手続をアクセス要求メッセージに従って実行する。
【０２０１】
任意選択により、ＵＥのアクセス要求手続がアクセス要求メッセージに従って実行されるとき、第２のＭＭＥは、第１のＭＭＥを使用することにより対話メッセージをＵＥに送出し、第１のＭＭＥを使用することにより、ＵＥにより送出される対話メッセージを受信し得る。
【０２０２】
ＵＥのアクセス要求手続を実行するときに、第２のＭＭＥは、第１のＭＭＥを使用することにより対話メッセージをＵＥに送出し、第１のＭＭＥを使用することにより、ＵＥにより送出される対話メッセージを受信することができるか、又は、図２及び図３で示されるように、従来技術では、第２のＭＭＥは、ｅＮｏｄｅＢを使用することにより、対話メッセージを直接ＵＥに送出し、ステップ２０５から２１６及びステップ３０６から３１５で示されるように、ｅＮｏｄｅＢを使用することにより、ＵＥにより送出される対話メッセージを受信することができるか、又は、第２のＭＭＥが対話メッセージをＵＥに転送するのを支援し得る任意の他のデバイス若しくは方式が使用されるが、それは具体的には、本発明では限定されないということを当業者は理解し得る、ということが留意されるべきである。本発明の説明を容易にするために、上述の実施形態は、第２のＭＭＥが、第１のＭＭＥを使用することにより対話メッセージをＵＥに送出し、第２のＭＭＥが、第１のＭＭＥを使用することにより、ＵＥにより送出される対話メッセージを受信する一例のみを使用することにより説明される。
【０２０３】
本発明のこの実施形態は、ＭＭＥ再選択方法を提供する。上述の技術的解決策に基づいて、第２のＭＭＥは、ＵＥのアクセス要求手続を第１のＭＭＥにより転送されるＵＥのアクセス要求メッセージに従って実行することができ、それによってＵＥは、正しいＭＭＥを適時に使用して、アクセス要求手続を実行することができる。一方で、従来技術におけるＭＭＥは、アクセス要求手続を、ｅＮｏｄｅＢにより転送されるＵＥのアクセス要求メッセージのみに従って実行することができ、この解決策における第２のＭＭＥは、ＵＥのアクセス要求手続を第１のＭＭＥにより転送されるアクセス要求メッセージに従って更に実行し得る。したがって、ＭＭＥが、ＵＥのアクセス要求手続を第１のＭＭＥにより転送されるアクセス要求メッセージに従って実行し得るという目標を達成するために、この解決策が実現される間に、既存のＭＭＥのソフトウェアのみが更新される必要がある。加えて、ＭＭＥの量は相対的に小さいので、オペレータネットワークへの影響もまた、相対的に小さい。
【０２０４】
ＵＥがアタッチ手続を実行する例が、本発明で提供されるＭＭＥ再選択方法を下記で詳細に説明するために使用され、具体的な実現プロセスが図１０で示される。
【０２０５】
この実施形態で論考されるアタッチ手続の対話プロセスは、既存のアタッチ手続の一部のステップと同じであり、同じステップは１つずつ説明されず、本発明のこの実施形態で提供されるＭＭＥ再選択の対話プロセスのみが強調及び説明される、ということが留意されるべきである。
【０２０６】
１００１：ＵＥは、アタッチ要求メッセージをｅＮｏｄｅＢに送出する。
【０２０７】
１００２：ｅＮｏｄｅＢは、第１のＭＭＥに、ＵＥにより送出されるアタッチ要求メッセージを転送する。
【０２０８】
１００３ａ：第１のＭＭＥ及びＨＳＳは、ＵＥを認証する。
【０２０９】
１００３ｂ：第１のＭＭＥ及びＵＥは、セキュリティセッティングをＮＡＳメッセージに関して遂行する。
【０２１０】
１００４：第１のＭＭＥは、ＨＳＳと、位置更新要求メッセージを交換し、位置更新要求確認応答メッセージに確認応答する。
【０２１１】
１００Ａ：ＵＥがアクセスすることを必要とするＭＭＥのタイプに従ってＵＥのためのＭＭＥを再選択する。
【０２１２】
具体的には、第１のＭＭＥは、ＵＥの識別子情報に従って、ＵＥがアクセスすることを必要とするモビリティ管理エンティティＭＭＥのタイプを判定し、ＭＭＥ、すなわち第２のＭＭＥを再選択し、第２のＭＭＥへの接続を確立する。具体的なプロセスに関しては、８０２及び８０３の説明を参照するものとする。
【０２１３】
ＵＥがＭＭＥを再選択することを必要としないならば、第１のＭＭＥは、ＵＥの後続のアタッチ手続を直接実行及び完了し、第２のＭＭＥを使用してアタッチ手続を実行することは不必要である、ということが留意されるべきである。この事例は、本発明の説明の範囲にはない。
【０２１４】
１００Ｂ：第１のＭＭＥは、コンテキストを第２のＭＭＥに転送する。
【０２１５】
コンテキストは、ＵＥにより送出されるアタッチ要求メッセージを含む。
【０２１６】
１００５：第２のＭＭＥは、セッション作成要求メッセージをＳ−ＧＷに送出する。
【０２１７】
１００６：Ｓ−ＧＷは、Ｐ−ＧＷに接続し、セッション作成要求メッセージをＰ−ＧＷに送出する。
【０２１８】
１００７：Ｐ−ＧＷは、セッション作成応答メッセージをＳ−ＧＷに返す。
【０２１９】
１００８：Ｓ−ＧＷは、セッション作成応答メッセージを第２のＭＭＥに返す。
【０２２０】
１００Ｃ：第２のＭＭＥは、位置更新要求メッセージ及び位置更新要求確認応答メッセージをＨＳＳと交換する。
【０２２１】
具体的には、第２のＭＭＥは、位置更新要求メッセージをＨＳＳに送出し、ＨＳＳは、ＵＥが位置づけられるＭＭＥの位置に関する記憶された情報を更新し、ＨＳＳは、ＵＥが第１のＭＭＥによりサービスされる位置に関する情報を、ＵＥが第２のＭＭＥによりサービスされる位置に関する情報に更新する。ＵＥが位置づけられるＭＭＥの位置に関する情報を更新した後に、ＨＳＳは、位置更新要求確認応答メッセージを第２のＭＭＥに返す。
【０２２２】
１００Ｄ：ＨＳＳは、位置削除要求メッセージ及び位置削除要求確認応答メッセージを第１のＭＭＥと交換する。
【０２２３】
具体的には、ＨＳＳは、位置削除要求メッセージを第１のＭＭＥに提出し、第１のＭＭＥは、ＵＥの記憶された位置情報、すなわち、第１のＭＭＥとＵＥとの間で確立されるモビリティコンテキストを削除し、削除の後で、位置削除要求確認応答メッセージをＨＳＳに返す。
【０２２４】
１００Ｅ：第２のＭＭＥは、コンテキストを第１のＭＭＥに送出する。
【０２２５】
コンテキストは、アタッチ受諾メッセージ及び初期コンテキストセットアップ要求メッセージを含む。
【０２２６】
１００９：第１のＭＭＥは、初期コンテキストセットアップ要求メッセージをｅＮｏｄｅＢに送出する。
【０２２７】
１０１０：ｅＮｏｄｅＢは、無線リソース制御プロトコル接続再構成メッセージをＵＥに送出する。
【０２２８】
１０１１：ＵＥは、無線リソース制御プロトコル接続再構成完了メッセージをｅＮｏｄｅＢに送出する。
【０２２９】
１０１２：ｅＮｏｄｅＢは、初期コンテキストセットアップ応答メッセージを第１のＭＭＥに送出する。
【０２３０】
１００Ｆ：第１のＭＭＥは、コンテキストを第２のＭＭＥに転送する。
【０２３１】
コンテキストは、初期コンテキストセットアップ応答を含み、初期コンテキストセットアップ応答メッセージは、ｅＮｏｄｅＢによりユーザプレーンに割り当てられるＴＥＩＤ、ｅＮｏｄｅＢのユーザプレーンアドレスなどを含む。
【０２３２】
１０１３：ＵＥは、直接送信メッセージをｅＮｏｄｅＢに送出する。
【０２３３】
１０１４：ｅＮｏｄｅＢは、アタッチ完了メッセージを第１のＭＭＥに転送する。
【０２３４】
１００Ｇ：第１のＭＭＥは、コンテキストを第２のＭＭＥに転送する。
【０２３５】
コンテキストは、アタッチ完了メッセージを含む。
【０２３６】
１０１５：第２のＭＭＥは、ベアラ更新要求メッセージをＳ−ＧＷに送出する。
【０２３７】
１０１６：Ｓ−ＧＷは、ベアラ更新応答メッセージを第２のＭＭＥに送出し、ｅＮｏｄｅＢに、１００７から開始してバッファリングされているダウンリンクデータパケットを送出することを開始する。
【０２３８】
上述の実施形態に基づいて、第１のＭＭＥは、ＵＥに対して、ＵＥがアクセスすることを必要とするＭＭＥ、すなわち第２のＭＭＥを再選択し、ＵＥのアクセス要求メッセージを第２のＭＭＥに転送することができ、第２のＭＭＥは、ＵＥのアクセス要求手続を第１のＭＭＥにより転送されるＵＥのアクセス要求メッセージに従って実行することができ、それによってＵＥは、正しいＭＭＥを適時に使用して、アクセス要求手続を実行することができる。
【０２３９】
ＵＥがアタッチ手続を実行する例が、本発明で提供されるＭＭＥ再選択方法を下記で詳細に説明するために使用され、具体的な実現プロセスが図１１で示される。
【０２４０】
この実施形態で論考されるアタッチ手続の対話プロセスは、以前の実施形態で提供されたＭＭＥ再選択のアタッチ手続の一部のステップと同じであり、同じステップは１つずつ再び説明されず、ＭＭＥがＵＥと対話するときの暗号化プロセスのみが強調及び説明される、ということが留意されるべきである。
【０２４１】
破線の囲みを使用することにより図１１で指示されるすべてのステップは、任意選択のステップを表すということが更に留意されるべきである。
【０２４２】
１１０１：ＵＥは、アタッチ要求メッセージをｅＮｏｄｅＢに送出する。
【０２４３】
１１０２：ｅＮｏｄｅＢは、第１のＭＭＥに、ＵＥにより送出されるアタッチ要求メッセージを転送する。
【０２４４】
１１０３ａ：第１のＭＭＥ及びＨＳＳは、ＵＥを認証する。
【０２４５】
１１０３ｂ：第１のＭＭＥ及びＵＥは、セキュリティセッティングをＮＡＳメッセージに関して遂行する。
【０２４６】
１１０４：第１のＭＭＥは、位置更新要求メッセージ及び位置更新要求確認応答メッセージをＨＳＳと交換する。
【０２４７】
１１０Ａ：ＵＥがアクセスすることを必要とするＭＭＥのタイプに従ってＵＥのためのＭＭＥを再選択する。
【０２４８】
１１０Ｂ：第１のＭＭＥは、コンテキストを第２のＭＭＥに転送する。
【０２４９】
コンテキストは、ＵＥにより送出されるアタッチ要求メッセージを含む。
【０２５０】
任意選択により、コンテキストは、第１のＭＭＥ及びＵＥにより確立されるセキュリティコンテキスト（すなわち、ＭＭＥとＵＥとの間で合意される暗号化方式、キー情報など）を更に含み得る。
【０２５１】
１１０５：第２のＭＭＥは、セッション作成要求メッセージをＳ−ＧＷに送出する。
【０２５２】
１１０６：Ｓ−ＧＷは、Ｐ−ＧＷに接続し、セッション作成要求メッセージをＰ−ＧＷに送出する。
【０２５３】
１１０７：Ｐ−ＧＷは、セッション作成応答メッセージをＳ−ＧＷに返す。
【０２５４】
１１０８：Ｓ−ＧＷは、セッション作成応答メッセージを第２のＭＭＥに返す。
【０２５５】
１１０Ｃ：第２のＭＭＥは、位置更新要求メッセージ及び位置更新要求確認応答メッセージをＨＳＳと交換する。
【０２５６】
１１０Ｄ：ＨＳＳは、位置削除要求メッセージ及び位置削除要求確認応答メッセージを第１のＭＭＥと交換する。
【０２５７】
１１０ａ１：第２のＭＭＥは、コンテキストを暗号化する。
【０２５８】
コンテキストは、第２のＭＭＥにより第１のＭＭＥに送出されることになるコンテキストであり、アタッチ受諾メッセージ及び初期コンテキストセットアップ要求メッセージを含む。
【０２５９】
具体的には、このステップが存在するかどうかは、１１０Ｂに依存する。
【０２６０】
１１０Ｂにおけるコンテキストが第１のＭＭＥ及びＵＥにより確立されるセキュリティコンテキストを含むならば、このステップにおいて、第２のＭＭＥは、コンテキストを、第１のＭＭＥ及びＵＥにより確立されるとともに、第１のＭＭＥにより１１０Ｂで転送されるセキュリティコンテキストにおける暗号化方式で暗号化することを必要とする。
【０２６１】
１１０Ｂにおけるコンテキストが第１のＭＭＥ及びＵＥにより確立されるセキュリティコンテキストを含まないならば、このステップは省略され、第２のＭＭＥは、暗号化動作を遂行することを必要としない。
【０２６２】
１１０Ｅ：第２のＭＭＥは、コンテキストを第１のＭＭＥに送出する。
【０２６３】
コンテキストは、アタッチ受諾メッセージ及び初期コンテキストセットアップ要求メッセージを含む。
【０２６４】
１１０ａ２：第１のＭＭＥは、コンテキストを暗号化する。
【０２６５】
コンテキストは、第２のＭＭＥにより送出されるコンテキストであり、アタッチ受諾メッセージ及び初期コンテキストセットアップ要求メッセージを含む。
【０２６６】
具体的には、このステップが存在するかどうかは、１１０Ｂに依存する。
【０２６７】
１１０Ｂにおけるコンテキストが第１のＭＭＥ及びＵＥにより確立されるセキュリティコンテキストを含むならば、このステップは省略され、第１のＭＭＥは、暗号化動作を遂行することを必要としない。
【０２６８】
１１０Ｂにおけるコンテキストが第１のＭＭＥ及びＵＥにより確立されるセキュリティコンテキストを含まないならば、第１のＭＭＥは、第１のＭＭＥ及びＵＥにより確立されるセキュリティコンテキストを第２のＭＭＥに転送しないので、第２のＭＭＥは、ＵＥとの対話のための暗号化及び解読方式を知得することができず、第１のＭＭＥは、第２のＭＭＥにより送出されるコンテキストを暗号化することを必要とする。
【０２６９】
１１０９：第１のＭＭＥは、初期コンテキストセットアップ要求メッセージをｅＮｏｄｅＢに送出する。
【０２７０】
１１１０：ｅＮｏｄｅＢは、無線リソース制御プロトコル接続再構成メッセージをＵＥに送出する。
【０２７１】
１１１１：ＵＥは、無線リソース制御プロトコル接続再構成完了メッセージをｅＮｏｄｅＢに送出する。
【０２７２】
１１１２：ｅＮｏｄｅＢは、初期コンテキストセットアップ応答メッセージを第１のＭＭＥに送出する。
【０２７３】
１１０ｂ２：第１のＭＭＥは、初期コンテキストセットアップ応答メッセージを解読する。
【０２７４】
初期コンテキストセットアップ応答メッセージは、ｅＮｏｄｅＢにより送出される。
【０２７５】
具体的には、このステップが存在するかどうかは、１１０Ｂに依存する。
【０２７６】
１１０Ｂにおけるコンテキストが第１のＭＭＥ及びＵＥにより確立されるセキュリティコンテキストを含むならば、このステップは省略され、第１のＭＭＥは、解読動作を遂行することを必要としない。
【０２７７】
１１０Ｂにおけるコンテキストが第１のＭＭＥ及びＵＥにより確立されるセキュリティコンテキストを含まないならば、第１のＭＭＥは、第１のＭＭＥ及びＵＥにより確立されるセキュリティコンテキストを第２のＭＭＥに転送しないので、第２のＭＭＥは、ＵＥとの対話のための暗号化及び解読方式を知得することができず、第１のＭＭＥは、第２のＭＭＥに送出されることになる初期コンテキストセットアップ応答メッセージを解読することを必要とする。
【０２７８】
１１０Ｆ：第１のＭＭＥは、コンテキストを第２のＭＭＥに転送する。
【０２７９】
コンテキストは、初期コンテキストセットアップ応答メッセージを含む。
【０２８０】
１１０ｂ１：第２のＭＭＥは、コンテキストを解読する。
【０２８１】
コンテキストは、第１のＭＭＥにより送出されるコンテキストであり、初期コンテキストセットアップ応答メッセージを含む。
【０２８２】
具体的には、このステップが存在するかどうかは、１１０Ｂに依存する。
【０２８３】
１１０Ｂにおけるコンテキストが第１のＭＭＥ及びＵＥにより確立されるセキュリティコンテキストを含むならば、このステップにおいて、第２のＭＭＥは、第１のＭＭＥ及びＵＥにより確立されるとともに、第１のＭＭＥにより１１０Ｂで転送されるセキュリティコンテキストにおける解読方式で、第１のＭＭＥにより転送される初期コンテキストセットアップ応答メッセージを解読することを必要とする。
【０２８４】
１１０Ｂにおけるコンテキストが第１のＭＭＥ及びＵＥにより確立されるセキュリティコンテキストを含まないならば、このステップは省略され、第２のＭＭＥは、解読動作を遂行することを必要としない。
【０２８５】
１１１３：ＵＥは、直接送信メッセージをｅＮｏｄｅＢに送出する。
【０２８６】
１１１４：ｅＮｏｄｅＢは、アタッチ完了メッセージを第１のＭＭＥに転送する。
【０２８７】
１１０ｃ２：第１のＭＭＥは、アタッチ完了メッセージを解読する。
【０２８８】
アタッチ完了メッセージは、ｅＮｏｄｅＢにより送出される。
【０２８９】
具体的には、このステップが存在するかどうかは、１１０Ｂに依存する。
【０２９０】
１１０Ｂにおけるコンテキストが第１のＭＭＥ及びＵＥにより確立されるセキュリティコンテキストを含むならば、このステップは省略され、第１のＭＭＥは、解読動作を遂行することを必要としない。
【０２９１】
１１０Ｂにおけるコンテキストが第１のＭＭＥ及びＵＥにより確立されるセキュリティコンテキストを含まないならば、第１のＭＭＥは、第１のＭＭＥ及びＵＥにより確立されるセキュリティコンテキストを第２のＭＭＥに転送しないので、第２のＭＭＥは、ＵＥとの対話のための暗号化及び解読方式を知得することができず、第１のＭＭＥは、第２のＭＭＥに送出されることになるアタッチ完了メッセージを解読することを必要とする。
【０２９２】
１１０Ｇ：第１のＭＭＥは、コンテキストを第２のＭＭＥに転送する。
【０２９３】
コンテキストは、アタッチ完了メッセージを含む。
【０２９４】
１１０ｃ１：第２のＭＭＥは、コンテキストを解読する。
【０２９５】
コンテキストは、第１のＭＭＥにより送出されるコンテキストであり、アタッチ完了メッセージを含む。
【０２９６】
具体的には、このステップが存在するかどうかは、１１０Ｂに依存する。
【０２９７】
１１０Ｂにおけるコンテキストが第１のＭＭＥ及びＵＥにより確立されるセキュリティコンテキストを含むならば、このステップにおいて、第２のＭＭＥは、第１のＭＭＥ及びＵＥにより確立されるとともに、第１のＭＭＥにより１１０Ｂで転送されるセキュリティコンテキストにおける解読方式で、第１のＭＭＥにより転送されるアタッチ完了メッセージを解読することを必要とする。
【０２９８】
１１０Ｂにおけるコンテキストが第１のＭＭＥ及びＵＥにより確立されるセキュリティコンテキストを含まないならば、このステップは省略され、第２のＭＭＥは、解読動作を遂行することを必要としない。
【０２９９】
１１１５：第２のＭＭＥは、ベアラ更新要求メッセージをＳ−ＧＷに送出する。
【０３００】
１１１６：Ｓ−ＧＷは、ベアラ更新応答メッセージを第２のＭＭＥに送出し、ｅＮｏｄｅＢに、１１０７から開始してバッファリングされているダウンリンクデータパケットを送出することを開始する。
【０３０１】
上述の実施形態に基づいて、第１のＭＭＥは、ＵＥに対して、ＵＥがアクセスすることを必要とするＭＭＥ、すなわち第２のＭＭＥを再選択し、ＵＥのアクセス要求メッセージを第２のＭＭＥに転送することができ、第２のＭＭＥは、ＵＥのアクセス要求手続を第１のＭＭＥにより転送されるＵＥのアクセス要求メッセージに従って実行することができ、それによってＵＥは、正しいＭＭＥを適時に使用して、アクセス要求手続を実行することができる。
【０３０２】
ＵＥがルーティングエリア更新手続を実行する例が、本発明で提供されるＭＭＥ再選択方法を下記で詳細に説明するために使用され、具体的な実現プロセスが図１２で示される。
【０３０３】
この実施形態で論考されるルーティングエリア更新手続の対話プロセスは、既存のルーティングエリア更新手続の一部のステップと同じであり、同じステップは１つずつ説明されず、本発明のこの実施形態で提供されるＭＭＥ再選択の対話プロセスのみが強調及び説明される、ということが留意されるべきである。
【０３０４】
破線の囲みを使用することにより図１２で指示されるすべてのステップは、任意選択のステップを表すということが更に留意されるべきである。
【０３０５】
１２０１：ＵＥは、ルーティングエリア更新要求メッセージをｅＮｏｄｅＢに送出する。
【０３０６】
１２０２：ｅＮｏｄｅＢは、ルーティングエリア更新要求メッセージを第１のＭＭＥに転送する。
【０３０７】
１２０３：第１のＭＭＥは、モビリティ管理コンテキスト要求メッセージを元のＭＭＥに送出する。
【０３０８】
１２０４：元のＭＭＥは、モビリティ管理コンテキスト応答メッセージを第１のＭＭＥに返す。
【０３０９】
１２０５ａ：第１のＭＭＥ及びＨＳＳは、ＵＥを認証する。
【０３１０】
１２０５ｂ：第１のＭＭＥ及びＵＥは、セキュリティセッティングをＮＡＳメッセージに関して遂行する。
【０３１１】
このステップが存在するかどうかは１２０４に依存する、ということが留意されるべきである。
【０３１２】
１２０４において元のＭＭＥにより第１のＭＭＥに返されるモビリティ管理コンテキストが元のＭＭＥ及びＵＥのセキュリティコンテキストを含むならば、このステップは省略され、第１のＭＭＥ及びＵＥは、セキュリティセッティングをＮＡＳメッセージに関して遂行することを必要としない。
【０３１３】
１２０４において元のＭＭＥにより第１のＭＭＥに返されるモビリティ管理コンテキストが元のＭＭＥ及びＵＥのセキュリティコンテキストを含まないならば、第１のＭＭＥ及びＵＥは、このステップにおいて、セキュリティセッティングをＮＡＳメッセージに関して遂行することを必要とする。
【０３１４】
１２０Ａ：ＵＥがアクセスすることを必要とするＭＭＥのタイプに従ってＵＥのためのＭＭＥを再選択する。
【０３１５】
具体的には、第１のＭＭＥは、ＵＥの識別子情報に従って、ＵＥがアクセスすることを必要とするモビリティ管理エンティティＭＭＥのタイプを判定し、ＭＭＥ、すなわち第２のＭＭＥを再選択し、第２のＭＭＥへの接続を確立する。具体的なプロセスに関しては、８０２及び８０３の説明を参照するものとする。
【０３１６】
ＵＥがＭＭＥを再選択することを必要としないならば、第１のＭＭＥは、ＵＥの後続のルーティングエリア更新手続を直接実行及び完了し、第２のＭＭＥを使用してルーティングエリア更新手続を遂行することは不必要である、ということが留意されるべきである。この事例は、本発明の説明の範囲にはない。
【０３１７】
１２０Ｂ：第１のＭＭＥは、コンテキストを第２のＭＭＥに転送する。
【０３１８】
コンテキストは、ＵＥにより送出されるルーティングエリア更新要求メッセージ、及び第１のＭＭＥにより取得されるＵＥのモビリティ管理コンテキストを含む。
【０３１９】
任意選択により、コンテキストは、第１のＭＭＥ及びＵＥにより確立されるセキュリティコンテキスト（すなわち、第１のＭＭＥとＵＥとの間で合意される暗号化方式、キー情報など）を更に含み得る。
【０３２０】
１２０７：第２のＭＭＥは、ベアラ更新要求メッセージをＳ−ＧＷに提出する。
【０３２１】
１２０８：Ｓ−ＧＷは、ベアラ更新要求メッセージをＰ−ＧＷに送出する。
【０３２２】
１２０９：Ｐ−ＧＷは、ベアラ更新応答メッセージをＳ−ＧＷに返す。
【０３２３】
１２１０：Ｓ−ＧＷは、ベアラ更新応答メッセージを第２のＭＭＥに送出する。
【０３２４】
１２１１：第２のＭＭＥは、位置更新要求メッセージをＨＳＳに提出する。
【０３２５】
１２１２：ＨＳＳは、位置削除要求メッセージ及び位置削除要求確認応答メッセージを元のＭＭＥと交換する。
【０３２６】
１２１３：ＨＳＳは、位置更新要求確認応答メッセージを第２のＭＭＥに返す。
【０３２７】
１２０Ｃ１：第２のＭＭＥは、ルーティングエリア更新受諾メッセージを暗号化する。
【０３２８】
ルーティングエリア更新受諾メッセージは、第２のＭＭＥによりＵＥに割り当てられるＧＵＴＩを含む。
【０３２９】
具体的には、このステップが存在するかどうかは、１２０Ｂに依存する。
【０３３０】
１２０Ｂにおけるコンテキストが第１のＭＭＥ及びＵＥにより確立されるセキュリティコンテキストを含むならば、このステップにおいて、第２のＭＭＥは、ルーティングエリア更新受諾メッセージを、第１のＭＭＥ及びＵＥにより確立されるとともに、第１のＭＭＥにより１２０Ｂで転送されるセキュリティコンテキストにおける暗号化方式で暗号化することを必要とする。
【０３３１】
１２０Ｂにおけるコンテキストが第１のＭＭＥ及びＵＥにより確立されるセキュリティコンテキストを含まないならば、このステップは省略され、第２のＭＭＥは、暗号化動作を遂行することを必要としない。
【０３３２】
１２０Ｄ：第２のＭＭＥは、コンテキストを第１のＭＭＥに送出する。
【０３３３】
コンテキストは、ルーティングエリア更新受諾メッセージ及びＳ−ＧＷ変化指示を含む。
【０３３４】
１２０６：第１のＭＭＥは、コンテキスト確認応答メッセージを元のＭＭＥに送出する。
【０３３５】
コンテキスト確認応答メッセージは、Ｓ−ＧＷ変化指示を含む。
【０３３６】
ルーティングエリア更新手続におけるＳ−ＧＷの選択は、第２のＭＭＥにより遂行されるので、第１のＭＭＥは、第２のＭＭＥがＳ−ＧＷ変化指示メッセージを返した後でのみ、コンテキスト確認応答を元のＭＭＥに送出することができる、ということが留意されるべきである。したがって１２０６が、ここで遂行される。
【０３３７】
１２０Ｃ２：第１のＭＭＥは、ルーティングエリア更新受諾メッセージを暗号化する。
【０３３８】
ルーティングエリア更新受諾メッセージは、第２のＭＭＥにより送出されるコンテキストに含まれる。
【０３３９】
具体的には、このステップが存在するかどうかは、１２０Ｂに依存する。
【０３４０】
１２０Ｂにおけるコンテキストが第１のＭＭＥ及びＵＥにより確立されるセキュリティコンテキストを含むならば、このステップは省略され、第１のＭＭＥは、暗号化動作を遂行することを必要としない。
【０３４１】
１２０Ｂにおけるコンテキストが第１のＭＭＥ及びＵＥにより確立されるセキュリティコンテキストを含まないならば、第１のＭＭＥは、第１のＭＭＥ及びＵＥにより確立されるセキュリティコンテキストを第２のＭＭＥに転送しないので、第２のＭＭＥは、ＵＥとの対話のための暗号化及び解読方式を知得することができず、第１のＭＭＥは、第２のＭＭＥにより送出されるルーティングエリア更新受諾メッセージを暗号化することを必要とする。
【０３４２】
１２１４：第１のＭＭＥは、ルーティングエリア更新受諾メッセージをｅＮｏｄｅＢに送出する。
【０３４３】
ルーティングエリア更新受諾メッセージは、第２のＭＭＥによりＵＥに割り当てられるＧＵＴＩを含む。
【０３４４】
１２１５：ｅＮｏｄｅＢは、ルーティングエリア更新受諾メッセージをＵＥに転送する。
【０３４５】
上述の実施形態に基づいて、第１のＭＭＥは、ＵＥに対して、ＵＥがアクセスすることを必要とするＭＭＥ、すなわち第２のＭＭＥを再選択し、ＵＥのアクセス要求メッセージを第２のＭＭＥに転送することができ、第２のＭＭＥは、ＵＥのアクセス要求手続を第１のＭＭＥにより転送されるＵＥのアクセス要求メッセージに従って実行することができ、それによってＵＥは、正しいＭＭＥを適時に使用して、アクセス要求手続を実行することができる。
【０３４６】
ＵＥがルーティングエリア更新手続を実行する例が、本発明で提供されるＭＭＥ再選択方法を下記で詳細に説明するために使用され、具体的な実現プロセスが図１３で示される。
【０３４７】
この実施形態で論考されるルーティングエリア更新手続の対話プロセスは、以前の実施形態で提供されたＭＭＥ再選択のルーティングエリア更新手続の一部のステップと同じであり、同じステップは１つずつここでは再び説明されない、ということが留意されるべきである。違いは、チャネルであって、それを使用することにより第２のＭＭＥがＵＥのモビリティ管理コンテキストを取得するチャネルにある。以前の実施形態では、第２のＭＭＥが取得するＵＥのモビリティ管理コンテキストは、最初に、第１のＭＭＥにより元のＭＭＥから取得され、次いで、第２のＭＭＥに転送される。この実施形態では、第２のＭＭＥにより取得されるＵＥのモビリティ管理コンテキストは、第２のＭＭＥにより、元のＭＭＥに直接要求されるとともに、元のＭＭＥから直接取得される。したがってこの実施形態は、このプロセスのみを強調及び説明する。
【０３４８】
１３０１：ＵＥは、ルーティングエリア更新要求メッセージをｅＮｏｄｅＢに送出する。
【０３４９】
１３０２：ｅＮｏｄｅＢは、ルーティングエリア更新要求メッセージを第１のＭＭＥに転送する。
【０３５０】
１３０３：第１のＭＭＥは、モビリティ管理コンテキスト要求メッセージを元のＭＭＥに送出する。
【０３５１】
１３０４：元のＭＭＥは、モビリティ管理コンテキスト応答メッセージを第１のＭＭＥに返す。
【０３５２】
１３０Ａ：ＵＥがアクセスすることを必要とするＭＭＥのタイプに従ってＵＥのためのＭＭＥを再選択する。
【０３５３】
具体的には、第１のＭＭＥは、ＵＥの識別子情報に従って、ＵＥがアクセスすることを必要とするモビリティ管理エンティティＭＭＥのタイプを判定し、ＭＭＥ、すなわち第２のＭＭＥを再選択し、第２のＭＭＥへの接続を確立する。具体的なプロセスに関しては、８０２及び８０３の説明を参照するものとする。
【０３５４】
ＵＥがＭＭＥを再選択することを必要としないならば、第１のＭＭＥは、ＵＥの後続のルーティングエリア更新手続を直接実行及び完了し、第２のＭＭＥを使用してルーティングエリア更新手続を実行することは不必要である、ということが留意されるべきである。この事例は、本発明の説明の範囲にはない。
【０３５５】
１３０Ｂ：第１のＭＭＥは、コンテキストを第２のＭＭＥに転送する。
【０３５６】
コンテキストは、ＵＥにより送出されるルーティングエリア更新要求メッセージを含む。
【０３５７】
１３０Ｃ：第２のＭＭＥは、モビリティ管理コンテキスト要求メッセージを元のＭＭＥに送出する。
【０３５８】
具体的には、第２のＭＭＥは、ＧＵＴＩに含まれるＧＵＭＭＥＩに関する情報に従って、ＵＥのモビリティ管理コンテキストが位置づけられる、元のＭＭＥのアドレスを知得し、モビリティ管理コンテキスト要求メッセージを元のＭＭＥに送出する。
【０３５９】
モビリティ管理コンテキスト要求メッセージは、ＵＥのＧＵＴＩを含む。
【０３６０】
１３０Ｄ：元のＭＭＥは、モビリティ管理コンテキスト応答メッセージを第２のＭＭＥに返す。
【０３６１】
具体的には、元のＭＭＥは、ＧＵＴＩに従ってＵＥのモビリティ管理コンテキストを判定し、ＵＥのモビリティ管理コンテキストをモビリティ管理コンテキスト応答メッセージに従って第２のＭＭＥに返す。
【０３６２】
１３０５ａ：第２のＭＭＥ及びＨＳＳは、ＵＥを認証する。
【０３６３】
１３０５ｂ：第２のＭＭＥ及びＵＥは、セキュリティセッティングをＮＡＳメッセージに関して遂行する。
【０３６４】
具体的には、第２のＭＭＥ及びＵＥは、完全性保護、暗号化方式、又はキー情報のようなセキュリティセッティングをＮＡＳメッセージに関して遂行する。
【０３６５】
このステップが存在するかどうかは１３０Ｄに依存する、ということが留意されるべきである。
【０３６６】
１３０Ｄにおいて元のＭＭＥにより第２のＭＭＥに返されるモビリティ管理コンテキストが元のＭＭＥ及びＵＥのセキュリティコンテキストを含むならば、このステップは省略され、第２のＭＭＥ及びＵＥは、セキュリティセッティングをＮＡＳメッセージに関して遂行することを必要としない。
【０３６７】
１３０Ｄにおいて元のＭＭＥにより第２のＭＭＥに返されるモビリティ管理コンテキストが元のＭＭＥ及びＵＥのセキュリティコンテキストを含まないならば、第２のＭＭＥ及びＵＥは、このステップにおいて、セキュリティセッティングをＮＡＳメッセージに関して遂行することを必要とする。
【０３６８】
１３０６：第２のＭＭＥは、コンテキスト確認応答メッセージを元のＭＭＥに送出する。
【０３６９】
コンテキスト確認応答メッセージは、Ｓ−ＧＷ変化指示を含む。
【０３７０】
１３０７：第２のＭＭＥは、ベアラ更新要求メッセージをＳ−ＧＷに提出する。
【０３７１】
１３０８：Ｓ−ＧＷは、ベアラ更新要求メッセージをＰ−ＧＷに送出する。
【０３７２】
１３０９：Ｐ−ＧＷは、ベアラ更新応答メッセージをＳ−ＧＷに返す。
【０３７３】
１３１０：Ｓ−ＧＷは、ベアラ更新応答メッセージを第２のＭＭＥに送出する。
【０３７４】
１３１１：第２のＭＭＥは、位置更新要求メッセージをＨＳＳに提出する。
【０３７５】
１３１２：ＨＳＳは、位置削除要求メッセージ及び位置削除要求確認応答メッセージを元のＭＭＥと交換する。
【０３７６】
１３１３：ＨＳＳは、位置更新要求確認応答メッセージを第２のＭＭＥに返す。
【０３７７】
１３０Ｅ：第２のＭＭＥは、コンテキストを第１のＭＭＥに送出する。
【０３７８】
コンテキストはルーティングエリア更新受諾メッセージを含み、ルーティングエリア更新受諾メッセージは、第２のＭＭＥによりＵＥに割り当てられるＧＵＴＩを含む。
【０３７９】
１３１４：ＭＭＥは、ルーティングエリア更新受諾メッセージをｅＮｏｄｅＢに送出する。
【０３８０】
ルーティングエリア更新受諾メッセージは、第２のＭＭＥによりＵＥに割り当てられるＧＵＴＩを含む。
【０３８１】
１３１５：ｅＮｏｄｅＢは、ルーティングエリア更新受諾メッセージをＵＥに転送する。
【０３８２】
上述の実施形態に基づいて、第１のＭＭＥは、ＵＥに対して、ＵＥがアクセスすることを必要とするＭＭＥ、すなわち第２のＭＭＥを再選択し、ＵＥのアクセス要求メッセージを第２のＭＭＥに転送することができ、第２のＭＭＥは、ＵＥのアクセス要求手続を第１のＭＭＥにより転送されるＵＥのアクセス要求メッセージに従って実行することができ、それによってＵＥは、正しいＭＭＥを適時に使用して、アクセス要求手続を実行することができる。
【０３８３】
本出願で提供されるいくつかの実施形態では、開示されるＭＭＥ及び方法は、他の方式で実現され得るということが理解されるべきである。例えば説明されたＭＭＥ実施形態は、単に例示的なものである。例えばユニット分割は、単に論理機能分割であり、実際の実現では他の分割であり得る。例えば複数のユニット又は構成要素は、組み合わされるか若しくは別のシステムに組み入れられることがあり得るか、又は、いくつかの特徴が、無視されるか若しくは実行されないこともあり得る。加えて、表示又は論考される、相互結合、又は直接の結合、又は通信接続は、何らかのインターフェイスを使用することにより実現され得る。装置又はユニットの間の、間接の結合又は通信接続は、電子的な、又は他の形式で実現され得る。
【０３８４】
別々の部分として説明されるユニットは、物理的に別々であることがあるか、又はそうでないことがあるとともに、ユニットとして表示される部分は、物理ユニットであることがあるか、若しくはそうでないことがあり、１つの場所に配置され得るか、又は複数のネットワークユニット上に分散され得る。ユニットの一部又はすべては、実施形態の解決策の目標を達成する実際の必要性に従って選択され得る。
【０３８５】
加えて、本発明の実施形態における機能ユニットは、１つの処理ユニットに集積され得るか、又はユニットの各々が物理的に単体で存在し得るか、又は２つ以上のユニットが１つのユニットに集積され得る。集積ユニットは、ハードウェアの形式で実現され得るか、又はソフトウェア機能ユニットに加えたハードウェアの形式で実現され得る。
【０３８６】
上述の集積ユニットがソフトウェア機能ユニットの形式で実現されるときに、集積ユニットは、コンピュータ読み取り可能な記憶媒体に記憶され得る。ソフトウェア機能ユニットは、記憶媒体に記憶され、コンピュータデバイス（パーソナルコンピュータ、サーバ、又はネットワークデバイスであり得る）に、本発明の実施形態で説明される方法のステップの一部を遂行するように命令するためのいくつかの命令を含む。上述の記憶媒体は、ＵＳＢフラッシュドライブ、リムーバブルハードディスク、読み出し専用メモリ（Read-Only  Memory、略してＲＯＭ）、ランダムアクセスメモリ（Random  Access  Memory、略してＲＡＭ）、磁気ディスク、又は光ディスクのような、プログラムコードを記憶することができる任意の媒体を含む。
【０３８７】
最終的に、上述の実施形態は、単に本発明の技術的解決策を説明することが意図されるものであるが、本発明を限定することが意図されるものではない、ということが留意されるべきである。本発明は、上述の実施形態を参照して詳細に説明されているが、当業者は、本発明の実施形態の技術的解決策の範囲から逸脱することなく、上述の実施形態で説明された技術的解決策に対してさらに修正を行うか、又はそれらの一部の技術的特徴に対して同等な置換を行うことができる、ということを理解するはずである。
【０３８８】
上述の説明は、単に本発明の特定の実現方式であるが、本発明の保護範囲を限定することは意図されない。本発明で開示される技術的範囲内で当業者により容易に考え出される任意の変形又は置換は、本発明の保護範囲内にあるものとする。したがって本発明の保護範囲は、特許請求の範囲の保護範囲にしたがうべきものであるとする。
【図１】
2018198448.tif 000003
【図２】
2018198448.tif 000004
【図３】
2018198448.tif 000005
【図４】
2018198448.tif 000006
【図５】
2018198448.tif 000007
【図５ａ】
2018198448.tif 000008
【図６】
2018198448.tif 000009
【図７】
2018198448.tif 000010
【図７ａ】
2018198448.tif 000011
【図８】
2018198448.tif 000012
【図９】
2018198448.tif 000013
【図１０】
2018198448.tif 000014
【図１１】
2018198448.tif 000015
【図１２】
2018198448.tif 000016
【図１３】
2018198448.tif 000017
【外国語明細書】
2018198448000001.pdf